(57)【要約】【課題】ユーザが直観的に音量調整を行うことが可能な音量調整装置、通話装置、音量調整装置制御プログラム、及び音量調整システムを提供すること。【解決手段】ＭＦＰ１の電話機能によって外部装置２００との間で通話が行われる場合に、ＬＣＤ１６には、音量調整画面が表示される。この音量調整画面に、通話相手の顔画像が表示される場合、この顔画像の口領域ＹＢに対して送話音量調整領域が割り当てられ、耳領域ＭＢに対して受話音量調整領域が割り当てられる。ユーザは、口領域ＹＢを予め設定した操作方法に従って指を触れると、送話音量が調整される。また、耳領域ＹＢを予め設定した操作方法に従って指を触れると、受話音量が調整される。ユーザにとって、「口」と「耳」から「受話音量」と「送話音量」が容易に結び付けられるので、ユーザは、通話相手の顔の画像を用いて、直観的に通話における受話音声および送話音声の音量を調整することができる。【選択図】図３
2009147763.tif 000002
【特許請求の範囲】
【請求項１】
音声を出力する音声出力手段と、
画像を表示する表示手段と、
その表示手段により表示される画像に対して外部から指定された位置を検出する指定位置検出手段と、
前記音声出力手段により音声が出力される場合に所定の画像を表示するように前記表示手段を制御する表示制御手段と、
その表示制御手段によって前記表示手段に表示される前記所定の画像に対し、その画像の内容に応じて、所定の領域を前記音声出力手段より出力される音声の音量調整を行う領域として割り当てる領域割当手段と、
前記表示制御手段によって前記表示手段に表示される前記所定の画像に対して前記指定位置検出手段により検出される外部から指定された位置が、前記領域割当手段により割り当てられた領域に含まれる場合に、前記音声出力手段により出力される音声の音量調整を
行う音量調整手段とを備えることを特徴とする音量調整装置。
【請求項２】
前記表示制御手段によって前記表示手段に表示される前記所定の画像に対して前記指定位置検出手段により検出される外部から指定された位置の変位を検出する変位検出手段を備え、
前記音量調整手段は、前記表示制御手段によって前記表示手段に表示される前記所定の画像に対して前記変位検出手段により検出される外部から指定された位置の変位が、前記領域割当手段により割り当てられた領域上での所定の変位である場合に、その変位に合わせて前記音声出力手段により出力される音声の音量調整を行うことを特徴とする請求項１に記載の音量調整装置。
【請求項３】
前記表示制御手段によって前記表示手段に表示される前記所定の画像に対して、前記領域割当手段により割り当てられる前記音量調整を行う領域を、外部からの指示に基づいて設定する領域設定手段と、
その領域設定手段により設定された前記音量調整を行う領域の位置情報を記憶する記憶手段とを備えていることを特徴とする請求項１又は２に記載の音量調整装置。
【請求項４】
前記表示制御手段によって前記表示手段に表示される前記所定の画像に対して、前記領域割当手段により割り当てられる前記音量調整を行う領域を、外部からの指示に基づいて設定する領域設定手段と、
前記音量調整手段によって音量調整が行われるために、前記領域設定手段により設定される前記音量調整を行う領域上に外部から指定されるべき位置の前記所定の変位を、外部からの指示に基づいて設定する変位設定手段と、
前記領域設定手段により設定された前記音量調整を行う領域の位置情報と、前記変位設定手段により設定された前記所定の変位とを記憶する記憶手段とを備えていることを特徴とする請求項２に記載の音量調整装置。
【請求項５】
前記表示手段は、表示パネルを有し、
前記指定位置検出手段は、前記表示パネルの表示面に設けられ、指示物が触れられた又は近接された位置を外部から指定された位置として認識可能なタッチパネルを備え、
前記表示制御手段は、前記音声出力手段により音声が出力される場合に、前記表示パネルに前記所定の画像を表示するように前記表示手段を制御し、
前記領域割当手段は、前記表示制御手段によって前記表示パネルに表示される前記所定の画像に対し、前記タッチパネル上に定義される座標によって、前記音量調整を行う領域を割り当てることを特徴とする請求項１から４に記載の音量調整装置。
【請求項６】
外部装置との通話を行う通話手段を備え、
前記音声出力手段は、前記外部装置から受け取る受話音声または前記通話手段から送出する送話音声を出力するものであることを特徴とする請求項１から５に記載の音量調整装置。
【請求項７】
前記表示制御手段は、前記通話手段により通話を行う通話相手に対応する画像を表示するように前記表示手段を制御し、
前記領域割当手段は、前記表示制御手段によって前記表示手段に表示される前記通話相手に対応する画像に対して、一の所定領域を前記音声出力手段により出力される前記受話音声の音量調整を行う領域として割り当てると共に、他の所定領域を前記送話音声の音量調整を行う領域として割り当て、
前記音量調整手段は、前記表示制御手段によって前記表示手段に表示される前記通話相手に対応する画像に対して、前記指定位置検出手段により検出される外部から指定された位置が前記一の所定領域である場合に、前記領域割当手段により前記一の所定領域に割り当てられた前記受話音声の音量調整を行い、前記指定位置検出手段により検出される外部から指定された位置が前記他の所定領域である場合に、前記領域割当手段により前記他の所定領域に割り当てられた前記送話音声の音量調整を行うことを特徴とする請求項６に記載の音量調整装置。
【請求項８】
前記表示制御手段は、前記通話手段により通話を行う通話相手に対応する画像と共に、通話装置に対応する画像を表示するように前記表示手段を制御し、
前記領域割当手段は、前記表示制御手段によって前記表示手段に表示される前記通話装置に対応する画像に対して、一の所定領域を前記音声出力手段により出力される前記送話音声の音量調整を行う領域として割り当てると共に、他の所定領域を前記受話音声の音量調整を行う領域として割り当て、
前記音量調整手段は、前記表示制御手段によって前記表示手段に表示される前記通話装置に対応する画像に対して、前記指定位置検出手段により検出される外部から指定された位置が前記一の所定領域である場合に、前記領域割当手段により前記一の所定領域に割り当てられた前記送話音声の音量調整を行い、前記指定位置検出手段により検出される外部から指定された位置が前記他の所定領域である場合に、前記領域割当手段により前記他の所定領域に割り当てられた前記受話音声の音量調整を行うことを特徴とする請求項７に記載の音量調整装置。
【請求項９】
外部装置との通話を行う通話手段と、
前記外部装置から受け取る受話音声および前記通話手段から送出する送話音声を出力する音声出力手段と、
画像を表示する表示手段と、
その表示手段により表示される画像に対して外部から指定された位置を検出する指定位置検出手段と、
前記通話手段により外部装置との通話を行う場合に、顔の画像を表示するように前記表示手段を制御する表示制御手段と、
その表示制御手段によって前記表示手段に表示される前記顔の画像に対して、口に相当する領域を前記音声出力手段により出力される前記受話音声および前記送話音声のいずれか一方の音量調整を行う領域として割り当てると共に、耳に相当する領域を前記受話音声および前記送話音声の他方の音量調整を行う領域として割り当てる領域割当手段と、
前記表示制御手段によって前記表示手段に表示される前記顔の画像に対して、前記指定位置検出手段により検出される外部から指定された位置が前記口に相当する領域である場合に、前記領域割当手段により前記口に相当する領域に割り当てられた前記受話音声および前記送話音声のいずれか一方の音量調整を行い、前記指定位置検出手段により検出される外部から指定された位置が前記耳に相当する領域である場合に、前記領域割当手段により前記耳に相当する領域に割り当てられた前記受話音声および前記送話音声の他方の音量調整を行う音量調整手段とを備えることを特徴とする通話装置。
【請求項１０】
前記表示制御手段は、前記通話手段により通話を行う通話相手の顔の画像を表示するように前記表示手段を制御し、
前記領域割当手段は、前記表示制御手段によって前記表示手段に表示される前記通話相手の顔の画像に対して、口に相当する領域を前記音声出力手段により出力される前記受話音声の音量調整を行う領域として割り当てると共に、耳に相当する領域を前記送話音声の音量調整を行う領域として割り当て、
前記音量調整手段は、前記表示制御手段によって前記表示手段に表示される前記通話相手の顔の画像に対して、前記指定位置検出手段により検出される外部から指定された位置が前記口に相当する領域である場合に、前記領域割当手段により前記口に相当する領域に割り当てられた前記受話音声の音量調整を行い、前記指定位置検出手段により検出される外部から指定された位置が前記耳に相当する領域である場合に、前記領域割当手段により前記耳に相当する領域に割り当てられた前記送話音声の音量調整を行うことを特徴とする請求項９に記載の通話装置。
【請求項１１】
前記表示制御手段は、通話者本人の顔の画像を表示するように前記表示手段を制御し、
前記領域割当手段は、前記表示制御手段によって前記表示手段に表示される前記通話者本人の顔の画像に対して、口に相当する領域を前記音声出力手段により出力される前記送話音声の音量調整を行う領域として割り当てると共に、耳に相当する領域を前記受話音声の音量調整を行う領域として割り当て、
前記音量調整手段は、前記表示制御手段によって前記表示手段に表示される前記通話者本人の顔の画像に対して、前記指定位置検出手段により検出される外部から指定された位置が前記口に相当する領域である場合に、前記領域割当手段により前記口に相当する領域に割り当てられた前記送話音声の音量調整を行い、前記指定位置検出手段により検出される外部から指定された位置が前記耳に相当する領域である場合に、前記領域割当手段により前記耳に相当する領域に割り当てられた前記受話音声の音量調整を行うことを特徴とする請求項９又は１０に記載の通話装置。
【請求項１２】
外部装置との通話を行う通話手段と、
前記外部装置から受け取る受話音声および前記通話手段から送出する送話音声を出力する音声出力手段と、
画像を表示する表示手段と、
その表示手段により表示される画像に対して外部から指定された位置を検出する指定位置検出手段と、
前記通話手段により外部装置との通話を行う場合に、送受話器の画像を表示するように前記表示手段を制御する表示制御手段と、
その表示制御手段によって前記表示手段に表示される前記送受話器の画像に対し、受話口に相当する領域を前記音声出力手段により出力される前記受話音声の音量調整を行う領域として割り当てると共に、送話口に相当する領域を前記送話音声の他方の音量調整を行う領域として割り当てる領域割当手段と、
前記表示制御手段によって前記表示手段に表示される前記送受話器の画像に対して、前記指定位置検出手段により検出される外部から指定された位置が前記受話口に相当する領域である場合に、前記領域割当手段により前記受話口に相当する領域に割り当てられた前記受話音声の音量調整を行い、前記指定位置検出手段により検出される外部から指定された位置が前記送話口に相当する領域である場合に、前記領域割当手段により前記送話口に相当する領域に割り当てられた前記送話音声の音量調整を行う音量調整手段とを備えることを特徴とする通話装置。
【請求項１３】
前記表示制御手段によって前記表示手段に表示される前記顔または送受話器の画像に対して、前記指定位置検出手段により検出される外部から指定された位置が、前記領域割当手段により前記受話音声の音量調整を行う領域として割り当てられた領域に含まれる場合には、前記音声出力手段より出力される前記受話音声の音量を、前記顔または送受話器の画像と合わせて表示し、前記指定位置検出手段により検出される外部から指定された位置が、前記領域割当手段により前記送話音声の音量調整を行う領域として割り当てられた領域に含まれる場合には、前記音声出力手段より出力される前記送話音声の音量を、前記顔または送受話器の画像と合わせて表示するように前記表示手段を制御する音量表示制御手段を備えていることを特徴とする請求項９から１２のいずれかに記載の通話装置。
【請求項１４】
音声を出力する音声出力手段と、画像を表示する表示手段と、その表示手段により表示される画像に対して外部から指定された位置を検出する指定位置検出手段とを備えた音量調整装置によって実行される音量調整装置制御プログラムであって、
前記音声出力手段により音声が出力される場合に所定の画像を表示するように前記表示手段を制御する表示制御ステップと、
その表示制御ステップによって前記表示手段に表示される前記所定の画像に対し、その画像の内容に応じて、所定の領域を前記音声出力手段より出力される音声の音量調整を行う領域として割り当てる領域割当ステップと、
前記表示制御ステップによって前記表示手段に表示される前記所定の画像に対して前記指定位置検出手段により検出される外部から指定された位置が、前記領域割当ステップにより割り当てられた領域に含まれる場合に、前記音声出力手段により出力される音声の音量調整を行う音量調整ステップとが実行されることを特徴とする音量調整装置制御プログラム。
【請求項１５】
音声を出力する音声出力手段と、
画像を表示する表示手段と、
その表示手段により表示される画像に対して外部から指定された位置を検出する指定位置検出手段と、
前記音声出力手段により音声が出力される場合に所定の画像を表示するように前記表示手段を制御する表示制御手段と、
その表示制御手段によって前記表示手段に表示される前記所定の画像に対し、その画像の内容に応じて、所定の領域を前記音声出力手段より出力される音声の音量調整を行う領域として割り当てる領域割当手段と、
前記表示制御手段によって前記表示手段に表示される前記所定の画像に対して前記指定位置検出手段により検出される外部から指定された位置が、前記領域割当手段により割り当てられた領域に含まれる場合に、前記音声出力手段により出力される音声の音量調整を行う音量調整手段とを備えることを特徴とする音量調整システム。
【発明の詳細な説明】
【技術分野】
【０００１】
本発明は、音量調整装置、通話装置、音量調整装置制御プログラム、及び音量調整システムに関するものである。
【背景技術】
【０００２】
従来、タッチパネルを用いて音量を調整するものが知られている。例えば、特許文献１には、タッチパネル付画面表示装置に音楽のボリューム調整画面として、複数個のスポット（点）が列をなしたバーを複数本放射状に配置したオブジェクトを表示し、そのオブジェクトに合わせて、右回りまたは左回りに円を描くようにタッチパネル操作を行うことで、音量調整が行える再生装置が開示されている。
【特許文献１】特開２００６−４２１７０号公報
【発明の開示】
【発明が解決しようとする課題】
【０００３】
しかしながら、特許文献１に記載された再生装置では、幾何学的な模様がボリューム調整画面として表示されるので、ユーザの好みがその画面に反映されておらず、ユーザが直観的に音量調整を行うことができないという問題点があった。
【０００４】
本発明は上述した問題点を解決するためになされたものであり、ユーザが直観的に音量調整を行うことが可能な音量調整装置、通話装置、音量調整装置制御プログラム、及び音量調整システムを提供することを目的とする。
【課題を解決するための手段】
【０００５】
この目的を達成するために、請求項１に記載の音量調整装置は、音声を出力する音声出力手段と、画像を表示する表示手段と、その表示手段により表示される画像に対して外部から指定された位置を検出する指定位置検出手段と、前記音声出力手段により音声が出力される場合に所定の画像を表示するように前記表示手段を制御する表示制御手段と、その表示制御手段によって前記表示手段に表示される前記所定の画像に対し、その画像の内容に応じて、所定の領域を前記音声出力手段より出力される音声の音量調整を行う領域として割り当てる領域割当手段と、前記表示制御手段によって前記表示手段に表示される前記所定の画像に対して前記指定位置検出手段により検出される外部から指定された位置が、前記領域割当手段により割り当てられた領域に含まれる場合に、前記音声出力手段により出力される音声の音量調整を行う音量調整手段とを備える。この場合、出力手段は、電気的な音声信号を音に変換して出力するもの、例えばスピーカ等であってもよいし、音を電気的な音声信号に変換して出力するもの、例えばマイク等であってもよい。
【０００６】
請求項２に記載の音量調整装置は、請求項１に記載の音量調整装置において、前記表示制御手段によって前記表示手段に表示される前記所定の画像に対して前記指定位置検出手段により検出される外部から指定された位置の変位を検出する変位検出手段を備え、前記音量調整手段は、前記表示制御手段によって前記表示手段に表示される前記所定の画像に対して前記変位検出手段により検出される外部から指定された位置の変位が、前記領域割当手段により割り当てられた領域上での所定の変位である場合に、その変位に合わせて前記音声出力手段により出力される音声の音量調整を行う。
【０００７】
請求項３に記載の音量調整装置は、請求項１又は２に記載の音量調整装置において、前記表示制御手段によって前記表示手段に表示される前記所定の画像に対して、前記領域割当手段により割り当てられる前記音量調整を行う領域を、外部からの指示に基づいて設定する領域設定手段と、その領域設定手段により設定された前記音量調整を行う領域の位置情報を記憶する記憶手段とを備えている。
【０００８】
請求項４に記載の音量調整装置は、請求項２に記載の音量調整装置において、前記表示制御手段によって前記表示手段に表示される前記所定の画像に対して、前記領域割当手段により割り当てられる前記音量調整を行う領域を、外部からの指示に基づいて設定する領域設定手段と、前記音量調整手段によって音量調整が行われるために、前記領域設定手段により設定される前記音量調整を行う領域上に外部から指定されるべき位置の前記所定の変位を、外部からの指示に基づいて設定する変位設定手段と、前記領域設定手段により設定された前記音量調整を行う領域の位置情報と、前記変位設定手段により設定された前記所定の変位とを記憶する記憶手段とを備えている。
【０００９】
請求項５に記載の音量調整装置は、請求項１から４に記載の音量調整装置において、前記表示手段は、表示パネルを有し、前記指定位置検出手段は、前記表示パネルの表示面に設けられ、指示物が触れられた又は近接された位置を外部から指定された位置として認識可能なタッチパネルを備え、前記表示制御手段は、前記音声出力手段により音声が出力される場合に、前記表示パネルに前記所定の画像を表示するように前記表示手段を制御し、前記領域割当手段は、前記表示制御手段によって前記表示パネルに表示される前記所定の画像に対し、前記タッチパネル上に定義される座標によって、前記音量調整を行う領域を割り当てる。
【００１０】
請求項６に記載の音量調整装置は、請求項１から５に記載の音量調整装置において、外部装置との通話を行う通話手段を備え、前記音声出力手段は、前記外部装置から受け取る受話音声または前記通話手段から送出する送話音声を出力するものである。
【００１１】
請求項７に記載の音量調整装置は、請求項６に記載の音量調整装置において、前記表示制御手段は、前記通話手段により通話を行う通話相手に対応する画像を表示するように前記表示手段を制御し、前記領域割当手段は、前記表示制御手段によって前記表示手段に表示される前記通話相手に対応する画像に対して、一の所定領域を前記音声出力手段により出力される前記受話音声の音量調整を行う領域として割り当てると共に、他の所定領域を前記送話音声の音量調整を行う領域として割り当て、前記音量調整手段は、前記表示制御手段によって前記表示手段に表示される前記通話相手に対応する画像に対して、前記指定位置検出手段により検出される外部から指定された位置が前記一の所定領域である場合に、前記領域割当手段により前記一の所定領域に割り当てられた前記受話音声の音量調整を行い、前記指定位置検出手段により検出される外部から指定された位置が前記他の所定領域である場合に、前記領域割当手段により前記他の所定領域に割り当てられた前記送話音声の音量調整を行う。
【００１２】
請求項８に記載の音量調整装置は、請求項７に記載の音量調整装置において、前記表示制御手段は、前記通話手段により通話を行う通話相手に対応する画像と共に、通話装置に対応する画像を表示するように前記表示手段を制御し、前記領域割当手段は、前記表示制御手段によって前記表示手段に表示される前記通話装置に対応する画像に対して、一の所定領域を前記音声出力手段により出力される前記送話音声の音量調整を行う領域として割り当てると共に、他の所定領域を前記受話音声の音量調整を行う領域として割り当て、前記音量調整手段は、前記表示制御手段によって前記表示手段に表示される前記通話装置に対応する画像に対して、前記指定位置検出手段により検出される外部から指定された位置が前記一の所定領域である場合に、前記領域割当手段により前記一の所定領域に割り当てられた前記送話音声の音量調整を行い、前記指定位置検出手段により検出される外部から指定された位置が前記他の所定領域である場合に、前記領域割当手段により前記他の所定領域に割り当てられた前記受話音声の音量調整を行う。
【００１３】
請求項９に記載の通話装置は、外部装置との通話を行う通話手段と、前記外部装置から受け取る受話音声および前記通話手段から送出する送話音声を出力する音声出力手段と、画像を表示する表示手段と、その表示手段により表示される画像に対して外部から指定された位置を検出する指定位置検出手段と、前記通話手段により外部装置との通話を行う場合に、顔の画像を表示するように前記表示手段を制御する表示制御手段と、その表示制御手段によって前記表示手段に表示される前記顔の画像に対して、口に相当する領域を前記音声出力手段により出力される前記受話音声および前記送話音声のいずれか一方の音量調整を行う領域として割り当てると共に、耳に相当する領域を前記受話音声および前記送話音声の他方の音量調整を行う領域として割り当てる領域割当手段と、前記表示制御手段によって前記表示手段に表示される前記顔の画像に対して、前記指定位置検出手段により検出される外部から指定された位置が前記口に相当する領域である場合に、前記領域割当手段により前記口に相当する領域に割り当てられた前記受話音声および前記送話音声のいずれか一方の音量調整を行い、前記指定位置検出手段により検出される外部から指定された位置が前記耳に相当する領域である場合に、前記領域割当手段により前記耳に相当する領域に割り当てられた前記受話音声および前記送話音声の他方の音量調整を行う音量調整手段とを備える。
【００１４】
請求項１０に記載の通話装置は、請求項９に記載の通話装置において、前記表示制御手段は、前記通話手段により通話を行う通話相手の顔の画像を表示するように前記表示手段を制御し、前記領域割当手段は、前記表示制御手段によって前記表示手段に表示される前記通話相手の顔の画像に対して、口に相当する領域を前記音声出力手段により出力される前記受話音声の音量調整を行う領域として割り当てると共に、耳に相当する領域を前記送話音声の音量調整を行う領域として割り当て、前記音量調整手段は、前記表示制御手段によって前記表示手段に表示される前記通話相手の顔の画像に対して、前記指定位置検出手段により検出される外部から指定された位置が前記口に相当する領域である場合に、前記領域割当手段により前記口に相当する領域に割り当てられた前記受話音声の音量調整を行い、前記指定位置検出手段により検出される外部から指定された位置が前記耳に相当する領域である場合に、前記領域割当手段により前記耳に相当する領域に割り当てられた前記送話音声の音量調整を行う。
【００１５】
請求項１１に記載の通話装置は、請求項９又は１０に記載の通話装置において、前記表示制御手段は、通話者本人の顔の画像を表示するように前記表示手段を制御し、前記領域割当手段は、前記表示制御手段によって前記表示手段に表示される前記通話者本人の顔の画像に対して、口に相当する領域を前記音声出力手段により出力される前記送話音声の音量調整を行う領域として割り当てると共に、耳に相当する領域を前記受話音声の音量調整を行う領域として割り当て、前記音量調整手段は、前記表示制御手段によって前記表示手段に表示される前記通話者本人の顔の画像に対して、前記指定位置検出手段により検出される外部から指定された位置が前記口に相当する領域である場合に、前記領域割当手段により前記口に相当する領域に割り当てられた前記送話音声の音量調整を行い、前記指定位置検出手段により検出される外部から指定された位置が前記耳に相当する領域である場合に、前記領域割当手段により前記耳に相当する領域に割り当てられた前記受話音声の音量調整を行う。
【００１６】
請求項１２に記載の通話装置は、外部装置との通話を行う通話手段と、前記外部装置から受け取る受話音声および前記通話手段から送出する送話音声を出力する音声出力手段と、画像を表示する表示手段と、その表示手段により表示される画像に対して外部から指定された位置を検出する指定位置検出手段と、前記通話手段により外部装置との通話を行う場合に、送受話器の画像を表示するように前記表示手段を制御する表示制御手段と、その表示制御手段によって前記表示手段に表示される前記送受話器の画像に対し、受話口に相当する領域を前記音声出力手段により出力される前記受話音声の音量調整を行う領域として割り当てると共に、送話口に相当する領域を前記送話音声の他方の音量調整を行う領域として割り当てる領域割当手段と、前記表示制御手段によって前記表示手段に表示される前記送受話器の画像に対して、前記指定位置検出手段により検出される外部から指定された位置が前記受話口に相当する領域である場合に、前記領域割当手段により前記受話口に相当する領域に割り当てられた前記受話音声の音量調整を行い、前記指定位置検出手段により検出される外部から指定された位置が前記送話口に相当する領域である場合に、前記領域割当手段により前記送話口に相当する領域に割り当てられた前記送話音声の音量調整を行う音量調整手段とを備える。
【００１７】
請求項１３に記載の通話装置は、請求項９から１２のいずれかに記載の通話装置において、前記表示制御手段によって前記表示手段に表示される前記顔または送受話器の画像に対して、前記指定位置検出手段により検出される外部から指定された位置が、前記領域割当手段により前記受話音声の音量調整を行う領域として割り当てられた領域に含まれる場合には、前記音声出力手段より出力される前記受話音声の音量を、前記顔または送受話器の画像と合わせて表示し、前記指定位置検出手段により検出される外部から指定された位置が、前記領域割当手段により前記送話音声の音量調整を行う領域として割り当てられた領域に含まれる場合には、前記音声出力手段より出力される前記送話音声の音量を、前記顔または送受話器の画像と合わせて表示するように前記表示手段を制御する音量表示制御手段を備えている。この場合、音量表示制御手段により表示される音量は、音量の大きさを明示的に示すものであってもよいし、音量の大きさをイメージとして示すものであってもよい。例えば、音量の大きさに合わせて所定の領域（例えば、耳や口）の大きさを変更して表示するようにしてもよいし、音量が０（ミュート状態）である場合には、口の領域にファスナーを表示してもよい。
【００１８】
請求項１４に記載の音量調整装置制御プログラムは、音声を出力する音声出力手段と、画像を表示する表示手段と、その表示手段により表示される画像に対して外部から指定された位置を検出する指定位置検出手段とを備えた音量調整装置によって実行されるプログラムであって、前記音声出力手段により音声が出力される場合に所定の画像を表示するように前記表示手段を制御する表示制御ステップと、その表示制御ステップによって前記表示手段に表示される前記所定の画像に対し、その画像の内容に応じて、所定の領域を前記音声出力手段より出力される音声の音量調整を行う領域として割り当てる領域割当ステップと、前記表示制御ステップによって前記表示手段に表示される前記所定の画像に対して前記指定位置検出手段により検出される外部から指定された位置が、前記領域割当ステップにより割り当てられた領域に含まれる場合に、前記音声出力手段により出力される音声の音量調整を行う音量調整ステップとが実行される。
【００１９】
請求項１５に記載の音量調整システムは、音声を出力する音声出力手段と、画像を表示する表示手段と、その表示手段により表示される画像に対して外部から指定された位置を検出する指定位置検出手段と、前記音声出力手段により音声が出力される場合に所定の画像を表示するように前記表示手段を制御する表示制御手段と、その表示制御手段によって前記表示手段に表示される前記所定の画像に対し、その画像の内容に応じて、所定の領域を前記音声出力手段より出力される音声の音量調整を行う領域として割り当てる領域割当手段と、前記表示制御手段によって前記表示手段に表示される前記所定の画像に対して前記指定位置検出手段により検出される外部から指定された位置が、前記領域割当手段により割り当てられた領域に含まれる場合に、前記音声出力手段により出力される音声の音量調整を行う音量調整手段とを備える。
【発明の効果】
【００２０】
請求項１に記載の音量調整装置によれば、表示制御手段の制御によって、音声出力手段により音声が出力される場合に表示手段に表示される所定の画像に対し、その画像の内容に応じて、領域割当手段により所定の領域が音量調整を行う領域として割り当てられる。そして、表示手段に表示される所定の画像に対して指定位置検出手段により検出される外部から指定された位置が、画像の内容に応じて領域割当手段により割り当てられた領域に含まれる場合、音量調整手段によって音量調整が行われる。このように、画像の内容に応じて音量調整が行われる領域が割り当てられるので、ユーザは表示手段に表示された画像を用いて直観的に音量調整を行うことができるという効果がある。
【００２１】
請求項２に記載の音量調整装置によれば、請求項１に記載の音量調整装置の奏する効果に加え、変位検出手段により検出される外部から指定された位置の変位が、領域割当手段により割り当てられた領域上での所定の変位である場合に、その変位に合わせて音量調整手段により音量調整が行われるので、ユーザは表示手段に表示された画像に対して直観的な操作でもって音量調整を行うことができるという効果がある。
【００２２】
請求項３に記載の音量調整装置によれば、請求項１又は２に記載の音量調整装置の奏する効果に加え、領域設定手段によって、外部からの指示に基づいて音量調整を行う領域が設定され、その領域の位置情報が記憶手段に記憶されるので、音量調整を行う領域を、ユーザ自身で設定することができる。よって、ユーザはより直観的に音量調整を行うことができるという効果がある。
【００２３】
請求項４に記載の音量調整装置によれば、請求項２に記載の音量調整装置の奏する効果に加え、次の効果を奏する。領域設定手段によって、外部からの指示に基づいて音量調整を行う領域が設定されると共に、音量調整が行われるために、音量調整を行う領域上に外部から指定されるべき位置の所定の変位が、外部からの指示に基づいて変位設定手段により設定される。そして、領域設定手段により設定された音量調整を行う領域の位置情報と、変位設定手段により設定された所定の変位とが記憶手段に記憶される。これにより、音量調整を行う領域と、その領域に対して設定すべき位置の変位とを、ユーザ自身で設定することができるので、ユーザはより直観的に音量調整を行うことができる。
【００２４】
請求項５に記載の音量調整装置によれば、請求項１から４に記載の音量調整装置の奏する効果に加え、表示手段には表示パネルが設けられ、表示制御手段によって所定の画像が表示される表示パネルの表示面にタッチパネルが設けられているので、表示パネルに表示される所定の画像を見ながら、音量調整を行う領域を容易に指定することができるという効果がある。また、タッチパネル上に定義される座標によって、音量調整を行う領域が領域割当手段により割り当てられるので、タッチパネルによって認識された外部から指定された位置が、音量調整を行う領域か否かを容易に判断することができるという効果がある。
【００２５】
請求項６に記載の音量調整装置によれば、請求項１から５に記載の音量調整装置の奏する効果に加え、通話手段によって外部装置との通話を行う場合に、受話音声または送話音声の音量調整をユーザが直観的に行うことができるという効果がある。
【００２６】
請求項７に記載の音量調整装置によれば、請求項６に記載の音量調整装置の奏する効果に加え、次の効果を奏する。表示手段に表示される通話相手に対応する画像に対して、指定位置検出手段により検出される外部から指定された位置が一の所定領域である場合には、領域割当手段により一の所定領域に割り当てられた受話音声の音量調整が音量調整手段により行われ、指定位置検出手段により検出される外部から指定された位置が他の所定領域である場合には、領域割当手段により他の所定領域に割り当てられた送話音声の音量調整が音量調整手段により行われる。これにより、ユーザにとって、「通話相手の口から発せられる音」および「通話相手の耳に入る音」が容易に結び付けられる通話相手に対応する画像を用いて、直観的に通話における受話音声および送話音声の音量を調整することができるという効果がある。
【００２７】
請求項８に記載の音量調整装置によれば、請求項７に記載の音量調整装置の奏する効果に加え、次の効果を奏する。表示手段に表示される通話装置に対応する画像に対して、指定位置検出手段により検出される外部から指定された位置が一の所定領域である場合には、領域割当手段により一の所定領域に割り当てられた送話音声の音量調整が音量調整手段により行われ、指定位置検出手段により検出される外部から指定された位置が他の所定領域である場合には、領域割当手段により他の所定領域に割り当てられた受話音声の音量調整が音量調整手段により行われる。これによって、ユーザにとって、「通話装置にて通話する通話者本人の口から発せられる音」および「通話装置にて通話する通話者本人の耳に入る音」が容易に結び付けられる通話装置に対応する画像を用いて、直観的に通話における受話音声および送話音声の音量を調整することができるという効果がある。
【００２８】
請求項９に記載の通話装置によれば、表示手段に表示される顔の画像に対して、指定位置検出手段により検出される外部から指定された位置が口に相当する領域である場合には、領域割当手段により口の領域に割り当てられた受話音声および送話音声のいずれか一方の音量調整が、音量調整手段により行われ、指定位置検出手段により検出される外部から指定された位置が耳に相当する領域である場合には、領域割当手段により耳の領域に割り当てられた受話音声および送話音声の他方の音量調整が、音量調整手段により行われる。「口から発せられる音」と「耳に入る音」から、「口」および「耳」と「受話音声」および「送話音声」とがユーザにとって容易に結び付けられるものであるので、ユーザは、顔の画像を用いて、直観的に通話における受話音声および送話音声の音量を調整することができるという効果がある。
【００２９】
請求項１０に記載の通話装置によれば、請求項９に記載の通話装置の奏する効果に加え、次の効果を奏する。表示手段に表示される通話相手の顔の画像に対して、指定位置検出手段により検出される外部から指定された位置が口に相当する領域である場合には、領域割当手段により口の領域に割り当てられた受話音声の音量調整が音量調整手段により行われ、指定位置検出手段により検出される外部から指定された位置が耳に相当する領域である場合には、領域割当手段により耳の領域に割り当てられた送話音声の音量調整が音量調整手段により行われる。ユーザにとって、「通話相手の口から発せられる音」から「受話音声」が容易に結び付けられ、「通話相手の耳に入る音」から「送話音声」が容易に結び付けられるので、ユーザは、通話相手の顔の画像を用いて、直観的に通話における受話音声および送話音声の音量を調整することができるという効果がある。
【００３０】
請求項１１に記載の通話装置によれば、請求項９又は１０に記載の通話装置の奏する効果に加え、次の効果を奏する。表示手段に表示される通話者本人の顔の画像に対して、指定位置検出手段により検出される外部から指定された位置が口に相当する領域である場合には、領域割当手段により口の領域に割り当てられた送話音声の音量調整が、音量調整手段により行われ、指定位置検出手段により検出される外部から指定された位置が耳に相当する領域である場合には、領域割当手段により耳の領域に割り当てられた受話音声の音量調整が、音量調整手段により行われる。ユーザにとって、「通話者本人の口から発せられる音」から「送話音声」が容易に結び付けられ、「通話者本人の耳に入る音」から「受話音声」が容易に結び付けられるので、ユーザは、通話者本人の顔の画像を用いて、直観的に通話における受話音声および送話音声の音量を調整することができるという効果がある。
【００３１】
請求項１２に記載の通話装置によれば、表示手段に表示される送受話器の画像に対して、指定位置検出手段により検出される外部から指定された位置が受話口に相当する領域である場合には、領域割当手段により受話口の領域に割り当てられた受話音声の音量調整が音量調整手段により行われ、指定位置検出手段により検出される外部から指定された位置が送話口に相当する領域である場合には、領域割当手段により送話口の領域に割り当てられた送話音声の音量調整が音量調整手段により行われる。ユーザにとって、「受話口」および「送話口」は、それぞれ「受話音声」および「送話音声」と容易に結び付けられるものであるので、ユーザは、送受話器の画像を用いて、直観的に通話における受話音声および送話音声の音量を調整することができるという効果がある。
【００３２】
請求項１３に記載の通話装置によれば、請求項９から１２のいずれかに記載の通話装置の奏する効果に加え、次の効果を奏する。表示制御手段によって表示手段に表示される顔または送受話器の画像に対して、指定位置検出手段により検出される外部から指定された位置が、領域割当手段により受話音声または送話音声の音量調整を行う領域として割り当てられた領域に含まれる場合には、音声出力手段より出力される受話音声または送話音声の音量が、顔または送受話器の画像と合わせて表示される。これにより、ユーザは受話音声または送話音声の音量を知ることができ、音量調整を行うときの目安とすることができるという効果がある。
【００３３】
請求項１４に記載の音量調整装置制御プログラムによれば、音量調整装置によって音量調整装置制御プログラムが実行されることにより、請求項１に記載の音量調整装置と同様な効果を奏することができる。
【００３４】
請求項１５に記載の音量調整制御システムによれば、請求項１に記載の音量調整装置と同様な効果を奏することができる。
【発明を実施するための最良の形態】
【００３５】
以下、本発明の好ましい実施形態について、添付図面を参照して説明する。図１は、本発明の第１実施形態における多機能周辺装置（以下、「ＭＦＰ（Ｍｕｌｔｉ  Ｆｕｎｃｔｉｏｎ  Ｐｅｒｉｐｈｅｒａｌ）」と称す）１の外観構成を示した斜視図である。
【００３６】
このＭＦＰ１は、電話機能、ファクシミリ機能、ＰＣ（Ｐｅｒｓｏｎａｌ  Ｃｏｍｐｕｔｅｒ）プリント機能、メディアプリント機能、スキャナ機能、及び、コピー機能などの各種機能を有する多機能周辺装置である。また、ＭＦＰ１は、電話機能による通話やファクシミリ機能によるデータ送信を行うために電話回線網１００（図２参照）を介して外部装置２００（図２参照）と接続される。
【００３７】
そして、このＭＦＰ１は、ユーザが電話機能により外部装置２００との間で通話を行う場合に、その通話相手に応じて顔の画像（顔画像）をＬＣＤ（Ｌｉｑｕｉｄ  Ｃｒｙｓｔａｌ  Ｄｉｓｐｌａｙ）１６に表示し、その顔画像によって、ユーザが受話音声の音量（受話音量）および送話音声の音量（送話音量）を直観的に調整できるように構成されている。
【００３８】
ＭＦＰ１の上部には、図１に示すように、ファクシミリ機能、スキャナ機能、又は、コピー機能の実行時に原稿を読み取るためのスキャナ２０が配置されている。原稿カバー体８の下側には、原稿を載置するための載置用ガラス板が設けられている。また、筐体内部には記録用紙に画像を印刷する装置として、所謂インクジェットプリンタで構成されたプリンタ２１が内蔵されている。
【００３９】
原稿カバー体８の前方には、横長形状の操作パネル６が設けられており、操作キー１５、ＬＣＤ１６、タッチパネル１７を具備する。操作キー１５には、電話機能やファクシミリ機能を利用する場合に電話番号を入力するための数字ボタン１５ａや、ＭＦＰ１の電源のオン／オフを行うための電源ボタン１５ｂなどの各種ボタンが設けられている。
【００４０】
ＬＣＤ１６は、ＬＣＤパネル（図示せず）を有し、そのＬＣＤパネルによって、操作手順や実行中の処理の状態が表示されると共に、操作キー１５やタッチパネル１７の押下に対応する情報が表示される。また、ユーザが電話機能による外部装置２００との通話を行う場合に、受話音量および送話音量を制御するための音量調整画面（図３（ａ）参照）や、音量調整画面に表示する顔画像を登録するための画面（図示せず）、及び、その顔画像に対する音量調整の手順を登録するための登録画面（図５および図６参照）が表示される。
【００４１】
詳細については後述するが、音量調整画面（図３（ａ）参照）には、通話相手に応じて、その通話相手の顔画像もしくはＭＦＰ１のユーザ（通話者）本人の顔画像が表示される。そして、通話相手の顔画像が表示される場合には、その顔画像の「耳」に相当する領域ＹＢ（以下、「耳領域ＹＢ」と称する）に対して送話音量の調整を行う領域（以下、「送話音量調整領域」と称する）が割り当てられ、「口」に相当する領域ＭＢ（以下、「口領域ＭＢ」と称する）に対して受話音量の調整を行う領域（以下、「受話音量調整領域」と称する）が割り当てられている。
【００４２】
また、ユーザ本人の顔画像が表示される場合には、その顔画像の耳領域ＹＢに対して受話音量調整領域が割り当てられ、口領域ＭＢに対して送話音量調整領域が割り当てられている。更に、通話相手の顔画像、ユーザ本人の顔画像にかかわらず、耳領域ＹＢおよび口領域ＭＢのいずれか一方に対して、送話または受話音量調整領域と兼ねるようにミュートの設定または解除を行う領域（以下、「ミュート設定領域」と称する）が割り当てられている。
【００４３】
そして、ＬＣＤ１６が有するＬＣＤパネル（図示せず）の表示面には、入力装置の一種であるタッチパネル１７が設けられている。つまり、ＬＣＤ１６のＬＣＤパネルに音量調整画面が表示されている場合に、その画面に表示される通話相手もしくはユーザ本人の顔画像の耳領域ＹＢまたは口領域ＭＢがユーザの指で触れられると、ＬＣＤパネルの表示面に設けられたタッチパネル１７が触れられたこととなる。
【００４４】
そして、タッチパネル１７により指が触れられた位置が検出されると、ＭＦＰ１は、その触れられた位置が耳領域ＹＢまたは口領域ＭＢに含まれるか否かを判断し、その位置が耳領域ＹＢまたは口領域ＭＢに含まれる場合には、そのタッチパネル１７に触れられた指の動き（操作）に応じて、耳領域ＹＢまたは口領域ＭＢに割り当てられた送話音量または受話音量の調整、若しくは、ミュートの設定または解除を行う。
【００４５】
このように、ＬＣＤ１６のＬＣＤパネルに表示された音量調整画面を見ながら、送話音量調整領域、受話音量調整領域、またはミュート設定領域を触れることによって、音量調整やミュートの設定または解除が行われるので、ユーザはその操作を容易に行うことができる。
【００４６】
なお、詳細については後述するが、通話相手もしくはユーザ本人の顔画像における耳領域ＹＢおよび口領域ＭＢと、送話音量調整領域、受話音量調整領域、およびミュート設定領域との対応付けや、どのような指の操作で、送話音量調整、受話音量調整およびミュートを行うかといった対応付けが、登録画面（図５および図６参照）によって行われる。
【００４７】
次に、ＭＦＰ１の前面には、メモリカード１４ａ（図２参照）を挿入するためのメモリカードスロット１４が設けられている。メモリカードスロット１４にメモリカード１４ａが挿入されている場合は、ユーザは、メモリカード１４ａ内に記憶される画像データをＬＣＤ１６に表示させ、その中から所望する顔画像データを音量調整画面に表示する顔画像として登録することができる。メモリカード１４ａとしては、例えば、コンパクトフラッシュ（登録商標）、スマートメディア（登録商標）、メモリスティック（登録商標）、ＳＤカード（登録商標）、ｘＤ−ピクチャカード（登録商標）などが該当する。
【００４８】
ＭＦＰ１の側部には、送受話器２２が設けられている。この送受話器２２は、ユーザが電話機能を使用して、電話回線網１００（図２参照）を介して接続される外部装置２００との間で通話を行う場合に使用される。
【００４９】
非通話時には、送受話器２２はフック（図示しない）が設けられた載置台上に置かれ、通話時には載置台から取り上げられて使用される。尚、本実施形態では、前者をオンフック状態、後者をオフフック状態と称す。送受話器２２は、オフフック状態となるとＮＣＵ（Ｎｅｔｗｏｒｋ  Ｃｏｎｔｒｏｌ  Ｕｎｉｔ）２３（図２参照）と電気的に接続され、オンフック状態となると、ＮＣＵ２３との接続が解除される。
【００５０】
また、送受話器２２には、送話口（図示せず）と受話口（図示せず）が設けられており、送話口のマイクに入力された音声は、送受話器２２で音声データに変換され、この変換された音声データが送話音声として、外部装置２００に出力される。また、外部装置２００から送信されてきた音声データは、受話音声として受話口のスピーカから出力される。これら送話音声の音量と、受話音声の音量とが、ＬＣＤ１６に表示される音声調整画面によって直観的に調整される。
【００５１】
次に、図２を参照して、ＭＦＰ１の電気的構成について説明する。図２は、ＭＦＰ１の電気的構成を示すブロック図である。ＭＦＰ１は、ＣＰＵ（Ｃｅｎｔｒａｌ  Ｐｒｏｃｅｓｓｉｎｇ  Ｕｎｉｔ）１１、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）１２、ＲＡＭ（Ｒａｎｄｏｍ  Ａｃｃｅｓｓ  Ｍｅｍｏｒｙ）１３、メモリカードスロット１４、操作キー１５、ＬＣＤ１６、タッチパネル１７、計時回路１８、スキャナ２０、プリンタ２１、送受話器２２、ＮＣＵ２３、モデム２４とを主に有している。
【００５２】
ＣＰＵ１１、ＥＥＰＲＯＭ１２、ＲＡＭ１３は、バスライン２６を介して互いに接続されている。また、メモリカードスロット１４、操作キー１５、ＬＣＤ１６、タッチパネル１７、計時回路１８、スキャナ２０、プリンタ２１、送受話器２２、ＮＣＵ２３、モデム２４、バスライン２６は、入出力ポート２７を介して互いに接続されている。
【００５３】
ＣＰＵ１１は、ＥＥＰＲＯＭ１２やＲＡＭ１３に記憶される固定値やプログラム或いは、ＮＣＵ２３を介して送受信される各種信号に従って、ＭＦＰ１が有している各機能の制御や、入出力ポート２７と接続された各部を制御するものである。
【００５４】
ＥＥＰＲＯＭ１２は、ＣＰＵ１１によって実行される制御プログラム１２ａや固定値データ等を書き換え可能に記憶すると共に、電源遮断後も内容を保持可能な不揮発性のメモリである。制御プログラム１２ａは、後述する図７〜図１２に図示されたフローチャートのプログラムを含んでおり、ＣＰＵ１１がこのプログラムを実行することにより、ＭＦＰ１において、ユーザが受話音声の音量（受話音量）および送話音声の音量（送話音量）を直観的に調整できる。
【００５５】
また、ＥＥＰＲＯＭ１２には、画像メモリ１２ｂと電話帳メモリ１２ｃとが設けられている。画像メモリ１２ｂは、電話機能による外部装置２００との通話を行う場合にＬＣＤ１６に表示される音量調整画面（図３（ａ）参照）で用いられる顔画像データを格納するメモリである。この画像メモリ１２ｂには、ＭＦＰ１出荷時に予め用意された複数の顔画像データが格納されているほか、ユーザの操作によって、メモリカード１４ａに記憶された顔画像データやスキャナ２０によって取り込んだ画像を格納することができる。
【００５６】
ＭＦＰ１出荷時に予め用意された顔画像データには、その顔画像が通話相手用のものであるか、ユーザ本人用のものであるかを示す情報や、その顔画像データにおける耳領域ＹＢおよび口領域ＭＢの座標も併せて格納される。これにより、後述する登録処理（図７参照）において、ある通話相手に対して表示すべき顔画像として、この予め用意された顔画像データを登録する場合には、その顔画像データと併せて格納される情報によって、その顔画像が通話相手用であるかユーザ本人用であるかが特定されると共に、耳領域ＹＢおよび口領域ＭＢの座標によってそれぞれの領域が特定され、これらの領域に送話音量調整領域、受話音量調整領域、ミュート設定領域が割り当てられる。
【００５７】
尚、顔画像データにおける或る領域の「座標」とは、ＬＣＤ１６に表示された顔画像の或る領域を触れた場合に、タッチパネル１７によって検出される座標のことである。この座標は、ＬＣＤ１６のＬＣＤパネルの左上端を座標（０，０）とし、右側に向かうほどＸ軸の座標が増加すると共に、下側に向かうほどＹ軸の座標が増加するように規定されている。本実施形態では、顔画像の各領域の座標をすべてタッチパネル１７によって検出される座標を用いて表している。これにより、タッチパネルの検出結果によって、顔画像の所定の領域が指で触れられたか否かを容易に判断することができる。
【００５８】
電話帳メモリ１２ｃは、複数の外部装置２００毎に、その外部装置２００に対応する通話相手の名前、電話番号のほか、その通話相手と通話する場合に音量調整画面で用いられる顔画像のファイル名や、その顔画像に割り当てられる送話音量調整領域、受話音量調整領域、ミュート設定領域に関する情報を格納するメモリである。尚、この電話帳メモリ１２ｃの詳細については、図４を参照して後述する。
【００５９】
ＲＡＭ１３は、書き替え可能な揮発性のメモリであり、ＭＦＰ１の各操作の実行時に各種のデータを一時的に記憶するためのメモリである。計時回路１８は、現在の日時を刻む時計機能を有する既知の回路である。
【００６０】
ＮＣＵ２３は、電話回線網１００と接続されており、電話回線網１００へのダイヤル信号の送出や、電話回線網１００からの呼出信号の応答などの制御を行うものである。モデム２４は、ファクシミリ機能により送信が指示された画像データを、電話回線網１００に伝送可能な信号に変調してＮＣＵ２３を介して送信したり、電話回線網１００からＮＣＵ２３を介して入力された信号を受信し、ＬＣＤ１６に表示したり、プリンタ２１で記録可能な画像データに復調するものである。
【００６１】
次いで、図３（ａ）を参照して、音量調整画面の詳細について説明する。図３（ａ）は、音量調整画面の一例を示すイメージ図である。
【００６２】
この音量調整画面は、図３（ａ）に示すように、ＬＣＤ１６の表示画面を左右に２分割し、左側の画面１６Ｌ（以下、「左画面１６Ｌ」と称する）の上部には、電話帳メモリ１２ｃに格納された外部装置２００に対応する通話相手の名前（ブラザー太郎）と電話番号（０５２−ＸＸＸ−ＸＸＸＸ）とを表示すると共に、左画面１６Ｌの残りの領域には通話相手に対して登録された顔画像を表示する。尚、この顔画像は、電話帳メモリ１２ｃに格納された顔画像の「画像ファイル名」（図４参照）に基づき、画像メモリ１２ｂからそのファイルに格納された顔画像データを読み出すことによって表示される。
【００６３】
左画面１６Ｌに表示された顔画像の耳領域ＹＢ（左上の座標（Ｘａ，Ｙａ）および右下の座標（Ｘｂ，Ｙｂ）で特定される矩形状の領域）と、口領域ＭＢ（左上の座標（Ｘｃ，Ｙｃ）および右下の座標（Ｘｄ，Ｙｄ）で特定される矩形状の領域）とに対して、上述したように、その顔画像の種類（通話相手の顔画像、若しくは、ユーザ本人の顔画像）に応じて、送話音量調整領域と受話音量調整領域とが割り当てられている。
【００６４】
例えば、顔画像が通話相手の顔画像である場合には、耳領域ＹＢに対して送話音量調整領域が割り当てられ、口領域ＭＢに対して受話音量調整領域が割り当てられている。一方、ユーザ本人の顔画像である場合には、耳領域ＹＢに対して受話音量調整領域が割り当てられ、口領域ＭＢに対して送話音量調整領域が割り当てられている。
【００６５】
また、通話相手の顔画像、ユーザ本人の顔画像にかかわらず、耳領域ＹＢおよび口領域ＭＢのいずれかに対して、送話または受話音量調整領域と兼ねるように、ミュート設定領域が割り当てられている。
【００６６】
ユーザが、ＬＣＤ１６の左画面１６Ｌに表示された顔画像の耳領域ＹＢを指で触れると、ＭＦＰ１は、タッチパネル１７の検出結果から、触れられた領域が耳領域ＹＢであることを判断する。ここで、表示された顔画像が通話相手の場合、耳領域ＹＢには送話音量調整領域が割り当てられているので、ＭＦＰ１はＬＣＤ１６の右側の画面１６Ｒ（以下、「右画面１６Ｒ」と称する）に、現時点の送話音量を示すバーを表示する。また、表示された顔画像がユーザ本人である場合、耳領域ＹＢには受話音量調整領域が割り当てられているので、ＭＦＰ１はＬＣＤ１６の右画面１６Ｒに現時点の受話音量を示すバーを表示する。
【００６７】
更に、ユーザが、耳領域ＹＢに触れた指を動かす操作を行うと、その操作内容（タッチパネル１７によって検出される指の位置の変位）に応じて、耳領域ＹＢに割り当てられた送話音量または受話音量の調整を行う。また、耳領域ＹＢがミュート設定領域を兼ねている場合には、指の操作内容に応じて、ミュートの設定または解除を行う。尚、送話音量の調整するための指の操作方法、受話音量の調整するための指の操作方法、および、ミュートの設定または解除をするための指の操作方法については、図３（ｂ）を参照して後述する。
【００６８】
一方、ユーザがＬＣＤ１６の左画面１６Ｌに表示された顔画像の口領域ＭＢを指で触れると、タッチパネル１６により検出された座標から、ＭＦＰ１は触れられた領域が口領域ＭＢであることを判断する。ここで、表示された顔画像が通話相手の場合、口領域ＭＢには受話音量調整領域が割り当てられているので、ＭＦＰ１はＬＣＤ１６の右画面１６Ｒに現時点の受話音量を示すバーを表示する。また、表示された顔画像がユーザ本人である場合、口領域ＭＢには送話音量調整領域が割り当てられているので、ＭＦＰ１はＬＣＤ１６の右画面１６Ｒに現時点の送話音量を示すバーを表示する。
【００６９】
更に、ユーザが、口領域ＭＢに触れた指を動かす操作を行うと、その操作内容に応じて、口領域ＭＢに割り当てられた送話音量または受話音量の調整を行う。また、口領域ＭＢがミュート設定領域を兼ねている場合には、指の操作内容に応じて、ミュートの設定または解除を行う。
【００７０】
次いで、図３（ｂ）を参照して、送話音量の調整するための指の操作方法、受話音量の調整するための指の操作方法、および、ミュートの設定または解除をするための指の操作方法について説明する。図３（ｂ）は、音量調整画面に表示される顔画像が通話相手である場合に、送話音量調整、受話音量調整、ミュート設定または解除を行うための指の操作方法を説明する説明図である。
【００７１】
尚、音量調整画面に表示される顔画像がユーザ本人である場合の、送話音量調整、受話音量調整、ミュート設定または解除を行うための指の操作方法は、図３（ｂ）において「送話音量」と「受話音量」とが入れ替わるほかは、図３（ｂ）の説明図と同一であるので、その図示と説明を省略する。
【００７２】
まず、音量調整画面に表示される顔画像が通話相手である場合に、送話音量調整を行うためのタッチパネル１７に触れられる指の操作方法として、図３（ｂ）に示すように、指を左右方向に操作する「方法１」と、指を上下方向に操作する「方法２」とが用意されている。どちらの方法によって送話音量の調整を行うかは、後述する登録処理（図７および図８参照）の中で、ユーザによって設定される。
【００７３】
ここで、送話音量の調整を行う操作方法として、「方法１」が設定されている場合、ＭＦＰ１は、まず耳領域ＹＢに対して最初に指が触れられた位置の座標（Ｘ１，Ｙ１）と、最後に指が触れられた位置の座標（Ｘ２，Ｙ２）とから、「方法１」の前提条件（｜Ｙ２−Ｙ１｜≦｜Ｘ２−Ｘ１｜）を満足しているか否かを判断する。これは、触れられた指のＸ軸側の変位のほうが、Ｙ軸側の変位よりも大きいか否かを判断するもので、この前提条件を満足している場合、指が左右方向に操作されていると判断される。
【００７４】
そして、この前提条件を満足した上で、耳領域ＹＢに対して指が触れられた位置が、耳領域ＹＢの左側（Ｘａ≦Ｘ１≦（Ｘａ＋Ｘｂ）／２，Ｙａ≦Ｙ１≦Ｙｂ）から、右側（（Ｘａ＋Ｘｂ）／２＜Ｘ２≦Ｘｂ，Ｙａ≦Ｙ２≦Ｙｂ）に移動する操作が行われた場合、そのＸ軸方向の移動距離（｜Ｘ２−Ｘ１｜）に応じて送話音量が大きくなるように調整される。
【００７５】
一方、耳領域ＹＢに対して指が触れられた位置が、耳領域ＹＢの右側（（Ｘａ＋Ｘｂ）／２＜Ｘ１≦Ｘｂ，Ｙａ≦Ｙ１≦Ｙｂ）から、左側（Ｘａ≦Ｘ２≦（Ｘａ＋Ｘｂ）／２，Ｙａ≦Ｙ２≦Ｙｂ）に移動する操作が行われた場合、そのＸ軸方向の移動距離（｜Ｘ２−Ｘ１｜）に応じて送話音量が小さくなるように調整される。
【００７６】
これに対し、送話音量の調整を行う方法として、「方法２」が設定されている場合、ＭＦＰ１は、まず耳領域ＹＢに対して最初に指が触れられた位置の座標（Ｘ１，Ｙ１）と、最後に指が触れられた位置の座標（Ｘ２，Ｙ２）とから、「方法２」の前提条件（｜Ｙ２−Ｙ１｜＞｜Ｘ２−Ｘ１｜）を満足しているか否かを判断する。これは、触れられた指のＹ軸側の変位のほうが、Ｘ軸側の変位よりも大きいか否かを判断するもので、この前提条件を満足している場合、指が上下方向に操作されていると判断できる。
【００７７】
そして、この前提条件を満足した上で、耳領域ＹＢに対して指が触れられた位置が、耳領域ＹＢの下側（Ｘａ≦Ｘ１≦Ｘｂ，（Ｙａ＋Ｙｂ）／２＜Ｙ１≦Ｙｂ）から、上側（Ｘａ≦Ｘ２≦Ｘｂ，Ｙａ≦Ｙ２≦（Ｙａ＋Ｙｂ）／２）に移動する操作が行われた場合、そのＹ軸方向の移動距離（｜Ｙ２−Ｙ１｜）に応じて送話音量が大きくなるように調整される。
【００７８】
一方、耳領域ＹＢに対して指が触れられた位置が、耳領域ＹＢの上側（Ｘａ≦Ｘ１≦Ｘｂ，Ｙａ≦Ｙ１≦（Ｙａ＋Ｙｂ）／２）から、下側（Ｘａ≦Ｘ２≦Ｘｂ，（Ｙａ＋Ｙｂ）／２＜Ｙ２≦Ｙｂ）に移動する操作が行われた場合、そのＹ軸方向の移動距離（｜Ｙ２−Ｙ１｜）に応じて送話音量が小さくなるように調整される。
【００７９】
尚、ここで調整された送話音量はＲＡＭ１３に格納されると共に、このＲＡＭ１３に格納された送話音量に基づいてＬＣＤ１６の右画面１６Ｒに表示される送話音量を示すバーに反映される。また、ここで調整された送話音量は、通話終了時に、電話帳メモリ１２ｃにも通話相手の名前に対応して記憶される。
【００８０】
また、送話音量はレベル０〜１０の１１段階で調整されるようになっている。そして、レベルが０となって、更に送話音量が小さくなるように調整される場合には、その音量は０に維持される。また、レベルが１０となって、更に送話音量が大きくなるように調整される場合には、その音量は１０に維持される。
【００８１】
次いで、音量調整画面に表示される顔画像が通話相手である場合に、受話音量調整を行うためのタッチパネル１７に触れられる指の操作方法として、送話音量調整を行うための操作方法と同様に、指を左右方向に操作した場合に受話音量の調整が行われる「方法１」と、指を左右方向に操作した場合に受話音量の調整が行われる「方法２」とが用意されている。そして、どちらの方法によって受話音量の調整を行うかは、後述する登録処理（図７および図８参照）の中で、ユーザによって設定される。
【００８２】
ここで、受話音量の調整を行う方法として、「方法１」が設定されている場合、ＭＦＰ１は、まず口領域ＭＢに対して最初に指が触れられた位置の座標（Ｘ１，Ｙ１）と、最後に指が触れられた位置の座標（Ｘ２，Ｙ２）とから、送話音量の場合と同様に、「方法１」の前提条件（｜Ｙ２−Ｙ１｜≦｜Ｘ２−Ｘ１｜）を満足しているか否かを判断する。そして、この前提条件を満足している場合、指が左右方向に操作されていると判断される。
【００８３】
この前提条件を満足した上で、口領域ＭＢに対して指が触れられた位置が、口領域ＭＢの左側（Ｘｃ≦Ｘ１≦（Ｘｃ＋Ｘｄ）／２，Ｙｃ≦Ｙ１≦Ｙｄ）から、右側（（Ｘｃ＋Ｘｄ）／２＜Ｘ２≦Ｘｄ，Ｙｃ≦Ｙ２≦Ｙｄ）に移動する操作が行われた場合、そのＸ軸方向の移動距離（｜Ｘ２−Ｘ１｜）に応じて受話音量が大きくなるように調整される。
【００８４】
一方、口領域ＭＢに対して指が触れられた位置が、口領域ＭＢの右側（（Ｘｃ＋Ｘｄ）／２＜Ｘ１≦Ｘｄ，Ｙｃ≦Ｙ１≦Ｙｄ）から、左側（Ｘｃ≦Ｘ２≦（Ｘｃ＋Ｘｄ）／２，Ｙｃ≦Ｙ２≦Ｙｄ）に移動する操作が行われた場合、そのＸ軸方向の移動距離（｜Ｘ２−Ｘ１｜）に応じて受話音量が小さくなるように調整される。
【００８５】
これに対し、受話音量の調整を行う方法として、「方法２」が設定されている場合、ＭＦＰ１は、まず口領域ＭＢに対して最初に指が触れられた位置の座標（Ｘ１，Ｙ１）と、最後に指が触れられた位置の座標（Ｘ２，Ｙ２）とから、送話音量の場合と同様に、「方法２」の前提条件（｜Ｙ２−Ｙ１｜＞｜Ｘ２−Ｘ１｜）を満足しているか否かを判断する。そして、この前提条件を満足している場合、指が上下方向に操作されていると判断できる。
【００８６】
この前提条件を満足した上で、口領域ＭＢに対して指が触れられた位置が、口領域ＭＢの下側（Ｘｃ≦Ｘ１≦Ｘｄ，（Ｙｃ＋Ｙｄ）／２＜Ｙ１≦Ｙｄ）から、上側（Ｘｃ≦Ｘ２≦Ｘｄ，Ｙｃ≦Ｙ２≦（Ｙｃ＋Ｙｄ）／２）に移動する操作が行われた場合、そのＹ軸方向の移動距離（｜Ｙ２−Ｙ１｜）に応じて受話音量が大きくなるように調整される。
【００８７】
一方、口領域ＭＢに対して指が触れられた位置が、口領域ＭＢの上側（Ｘｃ≦Ｘ１≦Ｘｄ，Ｙｃ≦Ｙ１≦（Ｙｃ＋Ｙｄ）／２）から、下側（Ｘｃ≦Ｘ２≦Ｘｄ，（Ｙｃ＋Ｙｄ）／２＜Ｙ２≦Ｙｄ）に移動する操作が行われた場合、そのＹ軸方向の移動距離（｜Ｙ２−Ｙ１｜）に応じて受話音量が小さくなるように調整される。
【００８８】
尚、ここで調整された受話音量は、送話音量と同様に、ＲＡＭ１３に格納されると共に、このＲＡＭ１３に格納された受話音量に基づいてＬＣＤ１６の右画面１６Ｒに表示される受話音量を示すバーに反映される。また、この受話音量は、通話終了時に、電話帳メモリ１２ｃにも通話相手の名前に対応して記憶される。
【００８９】
また、受話音量もレベル０〜１０の１１段階で調整されるようになっている。そして、レベルが０となって、更に受話音量が小さくなるように調整される場合には、その音量は０に維持される。また、レベルが１０となって、更に受話音量が大きくなるように調整される場合には、その音量は１０に維持される。
【００９０】
次いで、ミュート設定または解除を行うためのタッチパネル１７に触れられる指の操作方法として、図３（ｂ）に示すように、指を上から下に操作した場合にミュートの設定または解除が行われる「方法１」と、指を左から右に操作した場合にミュートの設定または解除が行われる「方法２」と、指を長押しした場合にミュートの設定または解除が行われる「方法３」とが用意されている。ここで、「長押し」とは、所定の領域内を所定の時間にわたって指を触れ続ける操作のことをいう。本実施形態では、所定の時間が１．５秒に設定されている。
【００９１】
尚、ミュートの設定または解除は、同一の操作によって行われるようになっており、ミュートされていない場合に各方法で示された操作が行われるとミュート設定が行われ、ミュート設定中に各方法で示された操作が行われた場合には、ミュートが解除される。
【００９２】
どの方法によってミュートの設定または解除を行うかは、後述する登録処理（図７および図８参照）の中で、「耳」および「口」のいずれの領域にミュート設定領域を兼ねさせるかと併せてユーザによって設定される。
【００９３】
ただし、ミュート設定領域を耳領域ＹＢに兼ねさせる場合、送話音量調整が「方法１」であれば、ミュート設定または解除は「方法２」が設定できず、送話音量調整が「方法２」であれば、ミュート設定または解除は「方法１」が設定できないようにしている。同様に、ミュート設定領域を口領域ＭＢに兼ねさせる場合、受話音量調整が「方法１」であれば、ミュート設定または解除は「方法２」が設定できず、受話音量調整が「方法２」であれば、ミュート設定または解除は「方法１」が設定できないようにしている。これにより、同じ指の操作で、送話音量または受話音量の調節と、ミュートの設定または解除とが行われるのを防止している。
【００９４】
ここで、ミュート設定または解除を行う方法として、「方法１」が設定されている場合、ＭＦＰ１は、まず、ミュート設定領域として割り当てられた耳領域ＹＢまたは口領域ＭＢに対して、最初に指が触れられた位置の座標（Ｘ１，Ｙ１）と、最後に指が触れられた位置の座標（Ｘ２，Ｙ２）とから、送話音量の「方法２」の場合と同様に、「方法１」の前提条件（｜Ｙ２−Ｙ１｜＞｜Ｘ２−Ｘ１｜）を満足しているか否かを判断する。そして、この前提条件を満足している場合、指が上下方向に操作されていると判断できる。
【００９５】
この前提条件を満足した上で、ミュート設定領域として耳領域ＹＢが割り当てられた場合、その領域に対して指が触れられた位置が、その領域の上側（Ｘａ≦Ｘ１≦Ｘｂ，Ｙａ≦Ｙ１≦（Ｙａ＋Ｙｂ）／２）から、下側（Ｘａ≦Ｘ２≦Ｘｂ，（Ｙａ＋Ｙｂ）／２＜Ｙ２≦Ｙｂ）に移動する操作が行われた場合、ミュートの設定または解除が行われる。
【００９６】
また、ミュート設定領域として口領域ＭＢが割り当てられた場合、その領域に対して指が触れられた位置が、その領域の上側（Ｘｃ≦Ｘ１≦Ｘｄ，Ｙｃ≦Ｙ１≦（Ｙｃ＋Ｙｄ）／２）から、下側（Ｘｃ≦Ｘ２≦Ｘｄ，（Ｙｃ＋Ｙｄ）／２＜Ｙ２≦Ｙｄ）に移動する操作が行われた場合、ミュートの設定または解除が行われる。
【００９７】
一方、ミュート設定または解除を行う方法として、「方法２」が設定されている場合、ＭＦＰ１は、「方法１」の場合と同様に、「方法２」の前提条件（｜Ｙ２−Ｙ１｜≦｜Ｘ２−Ｘ１｜）を満足しているか否かを判断する。そして、この前提条件を満足している場合、指が左右方向に操作されていると判断できる。
【００９８】
この前提条件を満足した上で、ミュート設定領域として耳領域ＹＢが割り当てられた場合、その領域に対して指が触れられた位置が、その領域の左側（Ｘａ≦Ｘ１≦（Ｘａ＋Ｘｂ）／２，Ｙａ≦Ｙ１≦Ｙｂ）から、右側（（Ｘａ＋Ｘｂ）／２＜Ｘ２≦Ｘｂ，Ｙａ≦Ｙ２≦Ｙｂ）に移動する操作が行われた場合、ミュートの設定または解除が行われる。
【００９９】
また、ミュート設定領域として口領域ＭＢが割り当てられた場合、その領域に対して指が触れられた位置が、その領域の左側（Ｘｃ≦Ｘ１≦（Ｘｃ＋Ｘｄ）／２，Ｙｃ≦Ｙ１≦Ｙｄ）から、右側（（Ｘｃ＋Ｘｄ）／２＜Ｘ２≦Ｘｄ，Ｙｃ≦Ｙ２≦Ｙｄ）に移動する操作が行われた場合、ミュートの設定または解除が行われる。
【０１００】
更に、ミュート設定または解除を行う方法として、「方法３」が設定されている場合、ミュート設定領域として耳領域ＹＢが割り当てられていれば、指が触れられた位置（Ｘ１，Ｙ１）が耳領域ＹＢ（Ｘａ≦Ｘ１≦Ｘｂ，Ｙａ≦Ｙ１≦Ｙｂ）にあると共に、１．５秒間に渡ってその耳領域ＹＢが指で触れ続けられると、ＭＦＰ１によって、ミュートの設定または解除が行われる。
【０１０１】
また、ミュート設定領域として口領域ＭＢが割り当てられていれば、指が触れられた位置（Ｘ１，Ｙ１）が口領域ＭＢ（Ｘｃ≦Ｘ１≦Ｘｄ，Ｙｃ≦Ｙ１≦Ｙｄ）にあると共に、１．５秒間に渡ってその口領域ＭＢが指で触れ続けられると、ＭＦＰ１によって、ミュートの設定または解除が行われる。
【０１０２】
次いで、図４を参照して、電話帳メモリ１２ｃの詳細について説明する。図４は、電話帳メモリ１２ｃの内容の一例を模式的に示した模式図である。
【０１０３】
図４に示すように、この電話帳メモリ１２ｃには、通話相手毎に、基本情報として、まず、通話相手の「名前」および「電話番号」が格納されている。この「名前」および「電話番号」は通話相手に応じて、任意の文字列または数値列が格納される。尚、電話帳メモリ１２ｃに格納されている通話相手毎の情報は、この通話相手の名前もしくは電話番号によって検索される。
【０１０４】
また、電話帳メモリ１２ｃには、通話相手毎に、音量調整画面に表示する顔画像の「画像ファイル名」と「画像種類」とが格納されている。ＭＦＰ１の電話機能による通話を行う場合、ＭＦＰ１は、この「画像ファイル名」を読み出すと共に、その画像ファイル名で示される画像ファイルを画像メモリ１２ｂから読み出して、その画像ファイルの顔画像データに従って顔画像を表示する。また、「画像種類」には、「顔：通話相手」および「顔：自分」のいずれかが格納され、「顔：通話相手」の場合には、音量調整画面に表示する顔画像が通話相手であることを示し、「顔：自分」の場合には、その顔画像がユーザ本人であることを示す。
【０１０５】
次いで、電話帳メモリ１２ｃには、通話相手毎に設定された「画像ファイル名」で示される顔画像の耳領域ＹＢに関して、その領域に割り当てられる「調整対象」、その「領域の座標」として、左上の座標（Ｘａ，Ｙａ）および右下の座標（Ｘｂ，Ｙｂ）の値、耳領域ＹＢによって音量を調整するための「操作方法」、および、「現在の音量」が、通話相手毎に「耳」の詳細項目として格納される。
【０１０６】
「耳」の「調整対象」には、「画像種類」が「顔：通話相手」の場合に「送話音量」が格納され、耳領域ＹＢには送話音量調整領域が対応付けられる。また、「画像種類」が「顔：自分」の場合に「受話音量」が格納され、耳領域ＹＢには受話音量調整領域が対応付けられる。
【０１０７】
「耳」の「領域の座標」（Ｘａ，Ｘｂ，Ｙａ，Ｙｂ）には、ＬＣＤ１６のＬＣＤパネルに顔画像が表示された場合に、その画像において耳領域ＹＢとして認識したい領域を触れたときに検出されるタッチパネル１７上の座標の範囲が格納される。
【０１０８】
「耳」の「操作方法」は、耳領域ＹＢに割り当てられた送話音量調整または受話音量調整を行うための指の操作方法「方法１」もしくは「方法２」が格納される。ここで、「方法１」が格納される場合には、左右方向の指の操作に応じて、対応する送話音量または受話音量の調整が行われる。また、「方法２」が格納される場合には、上下方向の指の操作に応じて、対応する送話音量または受話音量の調整が行われる。
【０１０９】
「耳」の「現在の音量」は、耳領域ＹＢに割り当てられる送話音量または受話音量の現在の音量が格納される。
【０１１０】
次いで、電話帳メモリ１２ｃには、通話相手毎に設定された「画像ファイル名」で示される顔画像の口領域ＭＢに関しても、その領域に割り当てられる「調整対象」、その「領域の座標」として、左上の座標（Ｘｃ，Ｙｄ）および右下の座標（Ｘｃ，Ｙｄ）の値、口領域ＭＢによって音量を調整するための「操作方法」、および、「現在の音量」が、通話相手毎に「口」の詳細項目として格納される。この「口」の各項目の詳細については、耳領域ＹＢに関するものと同じであるため、その説明を省略する。
【０１１１】
更に、電話帳メモリ１２ｃには、通話相手毎に設定された「画像ファイル名」で示される顔画像に対して設定または解除の指示を行うミュートに関して、そのミュート設定領域を割り当てる「領域」、ミュートの設定または解除を行うための「操作方法」、ミュートが設定された場合の「保留音」、および、その「保留音音量」が、通話相手毎に「ミュート」の詳細項目として格納される。
【０１１２】
「ミュート」の「領域」は、「耳」または「口」が格納される。そして、「耳」が格納されている場合には、耳領域ＹＢがミュート設定領域を兼ね、「口」が格納されている場合には、口領域ＭＢがミュート設定領域を兼ねる。
【０１１３】
「ミュート」の「操作方法」は、ミュートの設定または解除が行われる指の操作方法「方法１」〜「方法３」が格納される。ここで、「方法１」が格納される場合には、ミュート設定領域内における上から下への指の操作に応じて、ミュートの設定または解除が行われる。また、「方法２」が格納される場合には、ミュート設定領域内における左から右への指の操作に応じて、ミュートの設定または解除が行われる。更に、「方法３」が格納される場合には、ミュート設定領域内での１．５秒長押しの操作に応じて、ミュートの設定または解除が行われる。
【０１１４】
「ミュート」の「保留音」は、「保留音なし」、「デフォルト保留音」、「保留音Ａ」、「保留音Ｂ」のいずれかが格納される。ＭＦＰ１は、ミュートの設定が行われると、通話相手に対応して設定された「保留音」を送受話器２２の受話口（図示せず）から出力すると共に、通信相手の外部装置２００へ出力する。
【０１１５】
「ミュート」の「保留音音量」は、「保留音」が出力される場合の音量が格納される。この「保留音音量」は、０〜１０の１１段階で設定される。
【０１１６】
尚、「画像ファイル名」、「画像種類」、「耳」、「口」、「ミュート」の各項目は、いずれも、後述する登録処理（図７，図８）において、ある通話相手に対して表示すべき顔画像を登録するときに、併せて設定される。また、「耳」および「口」の「現在の音量」に関しては、通話終了時に、その時点の音量が上書きされる。
【０１１７】
次いで、図５及び図６を参照して、顔画像に対する音量調整の手順を登録するための登録画面の詳細について説明する。図５は、顔画像として、予め画像メモリ１２ｂに用意された通話相手用の顔画像データが選択された場合に、その顔画像の耳領域ＹＢによって送話音量調整を行うための操作方法と、送信音量の初期値を設定するための登録画面の一例を示したイメージ図である。また、図６は、顔画像として、予め画像メモリ１２ｂに用意された通話相手用の顔画像データが選択された場合に、その顔画像に対するミュート設定領域の割り当てと、ミュート設定および解除を行うための操作方法と、ミュート時に出力する保留音と、その保留音の音量とを登録するための登録画面の一例を示したイメージ図である。
【０１１８】
なお、顔画像として、予め画像メモリ１２ｂに用意された通話相手用の顔画像データが選択された場合に、その顔画像の口領域ＭＢによって受信音量調整を行うための操作方法と、受信音量の初期値を設定するための登録画面は、図５の「耳」を「口」に置き換え、「送話音量」を「受話音量」に置き換えるほかは、図５のイメージ図と同一であるので、その図示と説明を省略する。また、顔画像として、ユーザ本人の顔画像データが選択される場合には、「耳」および「口」と、「送話音量」および「受話音量」との関係が異なる他は、図５のイメージ図と同一であるので、その図示と説明も省略する。
【０１１９】
顔画像として、予め画像メモリ１２ｂに用意された通話相手用の顔画像データが選択されると、図５（ａ）に示すように、その選択された顔画像がＬＣＤ１６に表示されると共に、この顔画像が通話相手用のものであることを示すメッセージと、送話音量を設定するために「耳」をタッチするように促すメッセージとを表示する。また、予め画像メモリ１２ｂに用意された顔画像と併せて格納された耳領域ＹＢの座標を基に、その耳領域ＹＢの位置に、耳ボタンＢＴ１を設ける。
【０１２０】
ＭＦＰ１は、耳ボタンＢＴ１が指で触れられたと判断すると、耳領域ＹＢの座標を、電話帳メモリ１２ｃに設けられた登録対象の通話相手に対応する「耳」の「領域の座標」（図４参照）に格納すると共に、「耳」の「調整対象」（図４参照）に「送話音量」を格納して、図５（ｂ）の画面に移行する。
【０１２１】
なお、顔画像として、メモリカード１４ａやスキャナ２０から読み込んだ通話相手の顔画像を選択した場合には、図５（ａ）の画面に代えて、耳領域ＹＢを設定するように促す画面を表示する。そして、ＭＦＰ１は、耳領域ＹＢが入力されたと判断すると、その入力された耳領域ＹＢの座標を、電話帳メモリ１２ｃに設けられた登録対象の通話相手に対応する「耳」の「領域の座標」（図４参照）に格納すると共に、「耳」の「調整対象」（図４参照）に「送話音量」を格納して、図５（ｂ）の画面に移行する。
【０１２２】
図５（ｂ）の画面は、送話音量調整を行うための操作方法を設定する画面であり、顔画像、縦スライドボタンＢＴ２、横スライドボタンＢＴ３、及び、送話音量調整を行う操作方法の選択を促すメッセージを表示する。ＭＦＰ１は、横スライドボタンＢＴ３が指で触れられたと判断すると、電話帳メモリ１２ｃに設けられた登録対象の通話相手に対応する「耳」の「操作方法」（図４参照）に「方法１」を格納して、図５（ｃ）の画面に移行する。これにより、音量調整画面において、ユーザが指を耳領域ＹＢに対して左右方向に操作すると、送話音量の調整が行われる。
【０１２３】
また、ＭＦＰ１は、縦スライドボタンＢＴ２が指で触れられたと判断すると、電話帳メモリ１２ｃに設けられた登録対象の通話相手に対応する「耳」の「操作方法」（図４参照）に「方法２」を格納して、図５（ｃ）の画面に移行する。これにより、音量調整画面において、ユーザが指を耳領域ＹＢに対して上下方向に操作すると、送話音量の調整が行われる。
【０１２４】
図５（ｃ）の画面は、送話音量の初期値を設定する画面であり、顔画像、縦スライド状の送話音量設定ボタンＢＴ４、送話音量のレベル、及び、送話音量決定ボタンＢＴ６を表示する。尚、縦スライド状の送話音量設定ボタンは、送話音量を０〜１０の１１段階に設定できるように構成されている。また、設定される送話音量のレベルは、デフォルトで「５」に設定される。
【０１２５】
ＭＦＰ１は、この画面において、送話音量設定ボタンＢＴ４が指で下から上に操作されたと判断すると、その操作にあわせて、送話音量のレベルを大きくすると共に、そのレベルの値をＲＡＭ１３に保存する。また、送話音量設定ボタンＢＴ４が指で上から下に操作されたと判断すると、その操作にあわせて、送話音量のレベルを小さくし、そのレベルの値をＲＡＭ１３に保存する。そして、決定ボタンＢＴ６に指が触れられたと判断すると、図５（ｄ）の画面に移行する。
【０１２６】
図５（ｄ）の画面は、送話音量の初期値の設定確認を行う画面であり、縦スライド状の送話音量設定ボタンＢＴ４、送話音量レベル、「はい」ボタンＢＴ７、「いいえ」ボタンＢＴ８、及び、送話音量の設定確認を促すメッセージを表示する。尚、この画面では、送話音量設定ボタンＢＴ４は無効化されている。
【０１２７】
ＭＦＰ１は、この画面において、「いいえ」ボタンＢＴ７が指で触れられたと判断すると、図５（ｃ）の画面に戻り、再び送話音量の初期値を設定する画面が表示される。また、「はい」ボタンＢＴ７が指で触れられたと判断すると、ＲＡＭ１３に格納された送話音量のレベルを、電話帳メモリ１２ｃに設けられた登録対象の通話相手に対応する「耳」の「現在の音量」（図４参照）に格納する。そして、口領域ＭＢに対して割り当てる受信音量調整領域に関する登録画面を表示する。
【０１２８】
口領域ＭＢに対して割り当てる受信音量調整領域の音量操作方法に対する登録が終了すると、次に、ミュート設定領域に関する登録画面として、まず、図６（ａ）の画面を表示する。
【０１２９】
図６（ａ）の画面は、ミュート設定領域の割り当てを行う画面であり、顔画像と共に、この顔画像が通話相手用であることを示すメッセージ、ミュート設定領域の割り当てを促すメッセージ、耳ボタンＢＴ１１、及び、口ボタンＢＴ１２を表示する。
【０１３０】
ＭＦＰ１は、この画面において、耳ボタン１１および口ボタンＢＴ１２のいずれかが指で触れられたと判断すると、その触れられたボタンに対応する領域（耳領域ＹＢ、口領域ＭＢ）をＲＡＭ１３に一旦記憶し、図６（ｂ）の画面に移行する。
【０１３１】
図６（ｂ）の画面では、ミュートの設定または解除を行うための操作方法を選択する画面であり、ミュート設定領域の操作方法の選択を促すメッセージ、縦スライドボタンＢＴ１３、横スライドボタンＢＴ１４、長押しボタンＢＴ１５を表示する。
【０１３２】
ＭＦＰ１は、縦スライドボタンＢＴ１３が指で触れられたと判断すると、ミュートの設定または解除を行うための操作方法として「方法１」（操作内容：上から下）を設定し、ＲＡＭ１３に一旦記憶する。また、横スライドボタンＢＴ１４が指で触れられたと判断すると、ミュートの設定または解除を行うための操作方法として「方法２」（操作内容：左から右）を設定し、ＲＡＭ１３に一旦記憶する。一方、長押しボタンＢＴ１５が指で触れられたと判断すると、ミュートの設定または解除を行うための操作方法として「方法３」（操作内容：１．５秒長押し）を設定し、ＲＡＭ１３に一旦記憶する。この後、図６（ｃ）の画面に移行する。
【０１３３】
なお、この図６（ｂ）の画面において、ミュート設定領域が割り当てられた耳領域ＹＢまたは口領域ＭＢに対し、その送話音量調整または受話音量調整の操作方法として、「方法１」が設定されている場合には、横スライドボタンＢＴ１４をグレーアウト表示し、この横スライドボタンＢＴ１４の選択が受け付けられないようになっている。また、ミュート設定領域が割り当てられた耳領域ＹＢまたは口領域ＭＢに対し、その送話音量調整または受話音量調整の操作方法として、「方法２」が設定されている場合には、縦スライドボタンＢＴ１３をグレーアウト表示し、この縦スライドボタンＢＴ１３の選択が受け付けられないようになっている。これにより、送話音量調整または受話音量調整の操作方法と、ミュート設定または解除の操作方法とが、同じ操作方法に設定されるのを防止する。
【０１３４】
次いで、図６（ｃ）の画面は、ミュート設定時に出力する保留音の設定を行う画面であり、保留音の設定を促すメッセージと、保留音の候補（「保留音なし（無音）」、「デフォルト保留音」、「保留音Ａ」、「保留音Ｂ」、・・・）から保留音を選択する選択ボタンＢＴ１６と、保留音量設定ボタンＢＴ１７と、決定ボタンＢＴ１８とを表示する。
【０１３５】
ＭＦＰ１は、選択ボタンＢＴ１６に列挙された保留音の候補のうち、一の保留音が指で触れられたと判断すると、その一の保留音を選択状態にするとともに、他の保留音を非選択状態にする。この状態で決定ボタンＢＴ１８が指で触れられたと判断されると、選択状態にされた一の保留音が一旦ＲＡＭ１３に記憶されて図６（ｄ）の画面に移行する。
【０１３６】
このとき、デフォルトでは、保留音の音量は、送話音量と同じレベルに設定され、ＲＡＭ１３に一旦格納される。ただし、ＭＦＰ１は、決定ボタンＢＴ１８に手が触れられる前に、保留音量設定ボタンＢＴ１７が手で触れられたと判断すると、図５（ｃ）および（ｄ）と同様の音量設定画面を表示し、その画面で設定された音量を一旦ＲＡＭ１３に記憶する。
【０１３７】
図６（ｄ）は、図６（ａ）〜図６（ｃ）の画面によって設定されたミュート設定領域の割り当て、ミュートの設定または解除を行うための操作方法、保留音およびその音量に関する情報がＲＡＭ１３から読み出して表示されると共に、この設定でよいか否かを問い合わせるメッセージ、「はい」ボタンＢＴ１９、「いいえ」ボタンＢＴ２０が表示される。
【０１３８】
ＭＦＰ１は、「いいえ」ボタンＢＴ２０が指で触れられたと判断すると、図６（ａ）の画面に戻って、ミュート設定領域に関する登録画面を再度表示する。一方、「はい」ボタンＢＴ２０が指で触れられたと判断すると、ミュート設定領域の割り当て、ミュートの設定または解除の操作方法、保留音およびその音量に関する情報を、それぞれ、電話帳メモリ１２ｃに設けられた登録対象の通話相手に対応する「ミュート」の「領域」、「操作方法」、「保留音」、「保留音量」に記憶する。
【０１３９】
次いで、図７および図８を参照して、ＭＦＰ１のＣＰＵ１１で実行される登録処理について説明する。図７および図８は、ＭＦＰ１の登録処理を示すフローチャートである。この登録処理は、外部装置２００に対応する通話相手に応じてその音量調整画面に表示する顔画像を登録すると共に、その顔画像に対して送話音量調整領域、受話音量調整領域およびミュート設定領域の対応付けを行う処理である。この処理は、操作キー１５の操作によって、ユーザから音量調整画面に表示する顔画像の登録の指示が行われた場合に、開始される。
【０１４０】
この処理では、まず、顔画像の登録対象の人物が、電話帳メモリ１２ｃから選択されたか否か、若しくは、操作キー１５によってその人物の名前が入力されたか否かを判断する（Ｓ１）。ここで、電話帳メモリ１２ｃからの選択も、操作キー１５からの入力もされていないと判断される場合には（Ｓ１：Ｎｏ）、Ｓ１の処理を再び実行する。これにより、電話帳メモリ１２ｃからの選択、若しくは、操作キー１５からの入力が行われるまで、処理がウェイトされる。
【０１４１】
そして、Ｓ１の処理の結果、顔画像の登録対象の人物が、電話帳メモリ１２ｃから選択された、若しくは、操作キー１５からの入力が行われたと判断されると（Ｓ１：Ｙｅｓ）、続いて、登録すべき顔画像の画像データが選択されたか否かを判断する（Ｓ２）。ここで、登録すべき顔画像の画像データが選択されていないと判断される場合には（Ｓ２：Ｎｏ）、Ｓ２の処理を再び実行する。これにより、登録すべき顔画像の画像データが選択されるまで、処理がウェイトされる。
【０１４２】
そして、Ｓ２の処理の結果、登録すべき顔画像の画像データが選択されると（Ｓ２：Ｙｅｓ）、その選択された画像のファイル名を、電話帳メモリ１２ｃに設けられた登録対象の通話相手に対応する「画像ファイル名」（図４参照）に格納した上で、次いで、その選択された画像が、予めＭＦＰ１の出荷時に画像メモリ１２ｂに用意されていた顔画像であるか否かを判断する（Ｓ３）。
【０１４３】
その結果、予め用意されていた顔画像であると判断される場合には（Ｓ３：Ｙｅｓ）、次に、その顔画像の画像データと併せて画像メモリ１２ｂに格納された情報から、選択された顔画像が、通話相手用のものであるか否かを判断する（Ｓ４）。
【０１４４】
そして、選択された顔画像が通話相手用のものであると判断される場合（Ｓ４：Ｙｅｓ）、電話帳メモリ１２ｃに設けられた登録対象の通話相手に対応する「画像種類」（図４参照）に「顔：通話相手」を格納した上で、選択された顔画像を表示すると共に、「耳」をタッチするように促す画面（図５（ａ）参照）を表示する（Ｓ５）。なお、Ｓ５の処理では、選択された顔画像が通話相手用であることが分かるように表示する。
【０１４５】
そして、「耳」（耳ボタンＢＴ１）がタッチされたか否かを判断し（Ｓ６）、「耳」（耳ボタンＢＴ１）がタッチされていないと判断される場合には（Ｓ６：Ｎｏ）、再びＳ６の処理を実行する。これにより、「耳」（耳ボタンＢＴ１）がタッチされるまで、処理がウェイトされる。
【０１４６】
そして、Ｓ６の処理の結果、「耳」（耳ボタンＢＴ１）がタッチされたと判断される場合には（Ｓ６：Ｙｅｓ）、選択された顔画像の耳領域ＹＢの座標を、電話帳メモリ１２ｃに設けられた登録対象の通話相手に対応する「耳」の「領域の座標」（図４参照）に格納すると共に、「耳」の「調整対象」（図４参照）に「送話音量」を格納する。
【０１４７】
そして、送話音量調整に関する各種設定の登録画面（図５（ｂ）〜（ｄ）参照）を表示し、操作方法や送話音量の初期値を受け付け、これらをそれぞれ電話帳メモリ１２ｃに設けられた登録対象の通話相手に対応する「耳」の「操作方法」、「現在の音量」に格納する（Ｓ７）。これにより、耳領域ＹＢの送話音量調整領域の対応付けと、その送話音量調整に関する各種設定とが完了する。
【０１４８】
次いで、選択された顔画像を表示すると共に、「口」をタッチするように促す画面を表示する（Ｓ８）。なお、Ｓ８の処理では、選択された顔画像が通話相手用であることが分かるように表示する。そして、口領域ＭＢに割り当てられたボタンがタッチされたか否かを判断し（Ｓ９）、そのボタンがタッチされていないと判断される場合には（Ｓ９：Ｎｏ）、再びＳ９の処理を実行する。これにより、口領域ＭＢに割り当てられたボタンがタッチされるまで、処理がウェイトされる。
【０１４９】
そして、Ｓ９の処理の結果、口領域ＭＢに割り当てられたボタンがタッチされたと判断される場合には（Ｓ９：Ｙｅｓ）、選択された顔画像の口領域ＭＢの座標を、電話帳メモリ１２ｃに設けられた登録対象の通話相手に対応する「口」の「領域の座標」（図４参照）に格納すると共に、「口」の「調整対象」（図４参照）に「受話音量」を格納する。
【０１５０】
そして、受話音量調整に関する各種設定の登録画面を表示し、操作方法や受話音量の初期値を受け付け、これらをそれぞれ電話帳メモリ１２ｃに設けられた登録対象の通話相手に対応する「口」の「操作方法」、「現在の音量」に格納する（Ｓ１０）。これにより、口領域ＭＢの受話音量調整領域の対応付けと、その受話音量調整に関する各種設定とが完了する。Ｓ１０の処理の後、Ｓ３５の処理へ移行する。
【０１５１】
一方、Ｓ４の処理の結果、選択された顔画像が通話相手用のものでない、即ちユーザ本人用のものであると判断される場合（Ｓ４：Ｎｏ）、電話帳メモリ１２ｃに設けられた登録対象の通話相手に対応する「画像種類」（図４参照）に「顔：自分」を格納した上で、Ｓ５の処理と同様に、選択された顔画像を表示すると共に、「耳」をタッチするように促す画面を表示する（Ｓ１１）。ただし、Ｓ１１の処理では、選択された顔画像がユーザ本人用であることが分かるように表示する。
【０１５２】
そして、耳領域ＹＢに割り当てられたボタンがタッチされたか否かを判断し（Ｓ１２）、そのボタンがタッチされていないと判断される場合には（Ｓ１２：Ｎｏ）、再びＳ１２の処理を実行する。これにより、耳領域ＹＢに割り当てられたボタンがタッチされるまで、処理がウェイトされる。
【０１５３】
そして、Ｓ１２の処理の結果、耳領域ＹＢに割り当てられたボタンがタッチされたと判断される場合には（Ｓ１２：Ｙｅｓ）、選択された顔画像の耳領域ＹＢの座標を、電話帳メモリ１２ｃに設けられた登録対象の通話相手に対応する「耳」の「領域の座標」（図４参照）に格納すると共に、「耳」の「調整対象」（図４参照）に「受話音量」を格納する。
【０１５４】
そして、受話音量調整に関する各種設定の登録画面を表示し、操作方法や受話音量の初期値を受け付け、これらをそれぞれ電話帳メモリ１２ｃに設けられた登録対象の通話相手に対応する「耳」の「操作方法」、「現在の音量」に格納する（Ｓ１３）。これにより、耳領域ＹＢの受話音量調整領域の対応付けと、その受話音量調整に関する各種設定とが完了する。
【０１５５】
次いで、Ｓ８の処理と同様に、選択された顔画像を表示すると共に、「口」をタッチするように促す画面を表示する（Ｓ１４）。ただし、Ｓ１４の処理では、選択された顔画像がユーザ本人用であることが分かるように表示する。そして、口領域ＭＢに割り当てられたボタンがタッチされたか否かを判断し（Ｓ１５）、そのボタンがタッチされていないと判断される場合には（Ｓ１５：Ｎｏ）、再びＳ１５の処理を実行する。これにより、口領域ＭＢに割り当てられたボタンがタッチされるまで、処理がウェイトされる。
【０１５６】
そして、Ｓ１５の処理の結果、口領域ＭＢに割り当てられたボタンがタッチされたと判断される場合には（Ｓ１５：Ｙｅｓ）、選択された顔画像の口領域ＭＢの座標を、電話帳メモリ１２ｃに設けられた登録対象の通話相手に対応する「口」の「領域の座標」（図４参照）に格納すると共に、「口」の「調整対象」（図４参照）に「送話音量」を格納する。
【０１５７】
そして、送話音量調整に関する各種設定の登録画面を表示し、操作方法や送話音量の初期値を受け付け、これらをそれぞれ電話帳メモリ１２ｃに設けられた登録対象の通話相手に対応する「口」の「操作方法」、「現在の音量」に格納する（Ｓ１６）。これにより、口領域ＭＢの送話音量調整領域の対応付けと、その送話音量調整に関する各種設定とが完了する。Ｓ１６の処理の後、Ｓ３５の処理へ移行する。
【０１５８】
これに対し、Ｓ３の処理の結果、選択された顔画像が、予めＭＦＰ１の出荷時に画像メモリ１２ｂに用意されていた顔画像ではなく、他から（例えば、メモリカード１４ａやスキャナ２０）から取り込んだ画像であると判断される場合には（Ｓ３：Ｎｏ）、図８のＳ１７の処理へ移行する。
【０１５９】
図８のＳ１７の処理では、選択された顔画像が、通話相手であるか、ユーザ本人であるかを選択させる画面を表示する。そしてＳ１７の処理の選択結果に基づき、選択された顔画像が、通話相手であるか否かを判断する（Ｓ１８）。その結果、選択された顔画像が通話相手であると判断される場合には（Ｓ１８：Ｙｅｓ）、電話帳メモリ１２ｃに設けられた登録対象の通話相手に対応する「画像種類」（図４参照）に「顔：通話相手」を格納した上で、その顔画像に対して、耳領域ＹＢを設定させる画像を表示する（Ｓ１９）。
【０１６０】
そして、耳領域ＹＢが入力されたか否かを判断し（Ｓ２０）、入力されていないと判断される場合には（Ｓ２０：Ｎｏ）、Ｓ２０の処理を再度実行する。これにより、耳領域ＹＢが入力されるまで、処理がウェイトされる。
【０１６１】
一方、Ｓ２０の処理の結果、耳領域ＹＢが入力されたと判断されると（Ｓ２０：Ｙｅｓ）、次いで、入力された領域の座標を抽出し、その領域を送話音量調整領域として受け付けて、その座標を電話帳メモリ１２ｃに設けられた登録対象の通話相手に対応する「耳」の「領域の座標」（図４参照）に格納すると共に、「耳」の「調整対象」（図４参照）に「送話音量」を格納する（Ｓ２１）。
【０１６２】
そして、送話音量調整に関する各種設定の登録画面（図５（ｂ）〜（ｄ）参照）を表示し、操作方法や送話音量の初期値を受け付け、これらをそれぞれ電話帳メモリ１２ｃに設けられた登録対象の通話相手に対応する「耳」の「操作方法」、「現在の音量」に格納する（Ｓ２２）。これにより、耳領域ＹＢの送話音量調整領域の対応付けと、その送話音量調整に関する各種設定とが完了する。
【０１６３】
次に、選択された顔画像に対して、口領域ＭＢを設定させる画像を表示する（Ｓ２３）。そして、口領域ＭＢが入力されたか否かを判断し（Ｓ２４）、入力されていないと判断される場合には（Ｓ２４：Ｎｏ）、Ｓ２４の処理を再度実行する。これにより、口領域ＭＢが入力されるまで、処理がウェイトされる。
【０１６４】
一方、Ｓ２４の処理の結果、口領域ＭＢが入力されたと判断されると（Ｓ２４：Ｙｅｓ）、次いで、入力された領域の座標を抽出し、その領域を受話音量調整領域として受け付けて、その座標を電話帳メモリ１２ｃに設けられた登録対象の通話相手に対応する「口」の「領域の座標」（図４参照）に格納すると共に、「口」の「調整対象」（図４参照）に「受話音量」を格納する（Ｓ２５）。
【０１６５】
そして、受話音量調整に関する各種設定の登録画面を表示し、操作方法や受話音量の初期値を受け付け、これらをそれぞれ電話帳メモリ１２ｃに設けられた登録対象の通話相手に対応する「口」の「操作方法」、「現在の音量」に格納する（Ｓ２６）。これにより、口領域ＭＢの受話音量調整領域の対応付けと、その受話音量調整に関する各種設定とが完了する。Ｓ２６の処理の後、図７のＳ３５の処理へ移行する。
【０１６６】
一方、図８のＳ１８の処理で、選択された顔画像が通話相手でない、即ち、ユーザ本人であると判断される場合には（Ｓ１８：Ｎｏ）、電話帳メモリ１２ｃに設けられた登録対象の通話相手に対応する「画像種類」（図４参照）に「顔：自分」を格納した上で、その顔画像に対して、耳領域ＹＢを設定させる画像を表示する（Ｓ２７）。
【０１６７】
そして、耳領域ＹＢが入力されたか否かを判断し（Ｓ２８）、入力されていないと判断される場合には（Ｓ２８：Ｎｏ）、Ｓ２８の処理を再度実行する。これにより、耳領域ＹＢが入力されるまで、処理がウェイトされる。
【０１６８】
一方、Ｓ２８の処理の結果、耳領域ＹＢが入力されたと判断されると（Ｓ２８：Ｙｅｓ）、次いで、入力された領域の座標を抽出し、その領域を受話音量調整領域として受け付けて、その座標を電話帳メモリ１２ｃに設けられた登録対象の通話相手に対応する「耳」の「領域の座標」（図４参照）に格納すると共に、「耳」の「調整対象」（図４参照）に「受話音量」を格納する（Ｓ２９）。
【０１６９】
そして、受話音量調整に関する各種設定の登録画面を表示し、操作方法や受話音量の初期値を受け付け、これらをそれぞれ電話帳メモリ１２ｃに設けられた登録対象の通話相手に対応する「耳」の「操作方法」、「現在の音量」に格納する（Ｓ３０）。これにより、耳領域ＹＢの受話音量調整領域の対応付けと、その受話音量調整に関する各種設定とが完了する。
【０１７０】
次に、選択された顔画像に対して、口領域ＭＢを設定させる画像を表示する（Ｓ３１）。そして、口領域ＭＢが入力されたか否かを判断し（Ｓ３２）、入力されていないと判断される場合には（Ｓ３２：Ｎｏ）、Ｓ３２の処理を再度実行する。これにより、口領域ＭＢが入力されるまで、処理がウェイトされる。
【０１７１】
一方、Ｓ３２の処理の結果、口領域ＭＢが入力されたと判断されると（Ｓ３２：Ｙｅｓ）、次いで、入力された領域の座標を抽出し、その領域を送話音量調整領域として受け付けて、その座標を電話帳メモリ１２ｃに設けられた登録対象の通話相手に対応する「口」の「領域の座標」（図４参照）に格納すると共に、「口」の「調整対象」（図４参照）に「送話音量」を格納する（Ｓ３３）。
【０１７２】
そして、送話音量調整に関する各種設定の登録画面を表示し、操作方法や送話音量の初期値を受け付け、これらをそれぞれ電話帳メモリ１２ｃに設けられた登録対象の通話相手に対応する「口」の「操作方法」、「現在の音量」に格納する（Ｓ３４）。これにより、口領域ＭＢの送話音量調整領域の対応付けと、その送話音量調整に関する各種設定とが完了する。Ｓ３４の処理の後、図７のＳ３５の処理へ移行する。
【０１７３】
図７のＳ３５の処理では、ミュート設定または解除に関する各種設定の登録画面（図６参照）を表示し、ミュート設定領域、操作方法、保留音とその音量を受け付け、これらの情報を、それぞれ電話帳メモリ１２ｃに設けられた登録対象の通話相手に対応する「ミュート」の「領域」、「操作方法」、「保留音」、「保留音量」に格納する（Ｓ３５）。これにより、ミュート設定または解除に関する各種設定が完了する。
【０１７４】
次いで、別の顔画像の登録対象の人物が、電話帳メモリ１２ｃから選択されたか否か、若しくは、操作キー１５によってその人物の名前が入力されたか否かを判断する（Ｓ３６）。そして、顔画像の登録対象の人物が、電話帳メモリ１２ｃから選択された、若しくは、操作キー１５からの入力が行われたと判断される場合には（Ｓ３６：Ｙｅｓ）、Ｓ２の処理に回帰し、再びＳ２〜Ｓ３６の処理を実行する。
【０１７５】
一方、Ｓ３６の処理の結果、電話帳メモリ１２ｃからの選択も、操作キー１５からの入力もされていないと判断される場合には（Ｓ３６：Ｎｏ）、この登録処理を終了する。
【０１７６】
以上、この登録処理によって、送話音量の調整、受話音量の調整、ミュートの設定または解除を行うための送話音量調整領域、受話音量調整領域、およびミュート音量調整領域に対する操作方法を、ユーザ自身で設定できるため、ユーザは、音声調整画面が表示されたときに、ユーザの直観的な操作で、音量調整やミュートの設定または解除を行うことができる。
【０１７７】
また、登録する画像をメモリカード１４ａやスキャナ２０などによって取り込んだ場合に、送話音量調整領域、受話音量調整領域、およびミュート音量調整領域を割り当てる耳領域ＹＢや口領域ＭＢをユーザ自身で設定できるため、ユーザは、音声調整画面が表示されたときに、ユーザの直観的な操作で、音量調整やミュートの設定または解除を行うことができる。
【０１７８】
次いで、図９を参照して、ＭＦＰ１のＣＰＵ１１で実行される音量調整処理について説明する。図９は、ＭＦＰ１の音量調整処理を示すフローチャートである。この音量調整処理は、ユーザが電話機能による外部装置２００との通話を行う場合に、ＬＣＤ１６に音量調整画面を表示し、その画面に対する指の操作内容に応じて、受話音量および送話音量の調整を行う処理である。この処理は、操作キー１５の操作によって、ユーザから電話機能による外部装置２００との通話開始の指示があった場合に、開始される。
【０１７９】
この処理では、まず、通話を行う外部装置２００に対応する通話相手に対して、電話帳メモリ１２ｃに格納された「画像ファイル名」（図４参照）を読み出し、そして、その画像ファイル名で示される画像ファイルを画像メモリ１２ｂから読み出して、その画像ファイルの顔画像データに従って顔画像を表示する（Ｓ４１）。
【０１８０】
次いで、通話を行う外部装置２００に対応する通話相手に対して、電話帳メモリ１２ｃに格納された「耳」の「調整対象」、「領域の座標」、「操作方法」、「現在の音量」を読み出し、それぞれＲＡＭ１３に記憶する（Ｓ４２）。これにより、音量調整画面の顔画像に対して、「領域の座標」で定まる耳領域ＹＢに、「調整対象」の内容にしたがって、送話音量調整領域もしくは受話音量調整領域が割り当てられる。また、「操作方法」によって、その耳領域ＹＢによって音量調整を行う場合に指によって操作されるべき操作内容が決まり、「現在の音量」によって、現時点での送話音量もしくは受話音量が定まる。
【０１８１】
また、通話を行う外部装置２００に対応する通話相手に対して、電話帳メモリ１２ｃに格納された「口」の「調整対象」、「領域の座標」、「操作方法」、「現在の音量」を読み出し、それぞれＲＡＭ１３に記憶する（Ｓ４３）。これにより、音量調整画面の顔画像に対して、「領域の座標」で定まる口領域ＭＢに、「調整対象」の内容にしたがって、送話音量調整領域もしくは受話音量調整領域が割り当てられる。また、「操作方法」によって、その口領域ＭＢによって音量調整を行う場合に指によって操作されるべき操作内容が決まり、「現在の音量」によって、現時点での送話音量もしくは受話音量が定まる。
【０１８２】
更に、通話を行う外部装置２００に対応する通話相手に対して、電話帳メモリ１２ｃに格納された「ミュート」の「領域」、「操作方法」、「保留音」、「保留音量」を読み出し、それぞれＲＡＭ１３に記憶する（Ｓ４４）。これにより、音量調整画面の顔画像に対して、「領域」で定まる耳領域ＹＢまたは口領域ＭＢに、ミュート設定領域が割り当てられる。また、「操作方法」によって、そのミュート設定領域によってミュートの設定または解除を行う場合に、指によって操作されるべき操作内容が決まり、「保留音」および「保留音量」によって、ミュート設定時に出力される保留音とその音量が定まる。
【０１８３】
Ｓ４４の処理の後、タッチパネル１７が指で触れられたか否かを判断する（Ｓ４５）。そして、タッチパネル１７が指で触れられたと判断される場合には（Ｓ４５：Ｙｅｓ）、その指で触れられた領域がＳ４２の処理で割り当てられた耳領域ＹＢであるか否かを判断する（Ｓ４６）。その結果、耳領域ＹＢであると判断される場合には（Ｓ４６：Ｙｅｓ）、後述する耳押下処理（図１０（ａ）参照）が実行され（Ｓ４７）、Ｓ４８の処理へ移行する。これにより、耳領域ＹＢに対して割り当てられた音量調整領域および操作方法に応じた、所定の音量調整処理やミュート処理が実行される。
【０１８４】
一方、Ｓ４６の処理の結果、Ｓ４５の処理において指で触れられた領域が耳領域ＹＢでないと判断される場合（Ｓ４６：Ｎｏ）には、Ｓ４７の処理をスキップし、Ｓ４８の処理へ移行する。
【０１８５】
Ｓ４８の処理では、Ｓ４５の処理において指で触れられた領域が、Ｓ４３の処理で割り当てられた耳領域ＭＢであるか否かを判断する。その結果、口領域ＭＢであると判断される場合には（Ｓ４８：Ｙｅｓ）、後述する口押下処理（図１０（ｂ）参照）が実行され（Ｓ４９）、Ｓ５０の処理へ移行する。これにより、口領域ＭＢに対して割り当てられた音量調整用の領域および操作方法に応じた、所定の音量調整処理やミュート処理が実行される。
【０１８６】
一方、Ｓ４８の処理の結果、Ｓ４５の処理において指で触れられた領域が口領域ＭＢでないと判断される場合（Ｓ４８：Ｎｏ）には、Ｓ４９の処理をスキップし、Ｓ５０の処理へ移行する。
【０１８７】
また、Ｓ４５の処理の結果、タッチパネル１７が指で触れられていないと判断される場合には（Ｓ４５：Ｎｏ）、Ｓ５０の処理へ移行する。
【０１８８】
Ｓ５０の処理では、操作キー１５の状況や送受話器２２がオフフック状態となり、通話が終了したか否かを判断する（Ｓ５０）。そして、送受話器２２がオンフック状態で、通話が終了していないと判断される場合には（Ｓ５０：Ｎｏ）、Ｓ４５の処理へ回帰し、Ｓ４５〜Ｓ５０の処理が再び実行される。
【０１８９】
一方、Ｓ５０の処理の結果、通話が終了したと判断される場合には（Ｓ５０：Ｙｅｓ）、耳領域ＹＢおよび口領域ＭＢによって調整された送話音量および受話音量それぞれの現時点での音量を、それぞれ、通話を行った外部装置２００に対応する通話相手の電話帳メモリ１２ｃにおける「耳」の「現在の音量」と「口」の「現在の音量」とに格納し（Ｓ５１）、音量調整処理を終了する。これにより、次回その通話相手と通話した場合に、送話音量および受話音量が、それぞれ今回の通話終了時の音量に設定される。
【０１９０】
次いで、図１０（ａ）を参照して、ＭＦＰ１のＣＰＵ１１で実行される耳押下処理について説明する。図１０（ａ）は、ＭＦＰ１の耳押下処理を示すフローチャートである。この耳押下処理は、上述したように、音量調整処理の中で実行される処理であり、音量調整画面に対して耳領域ＹＢが指で触れられた場合に、その耳領域ＹＢに対して割り当てられた音量調整用の領域および操作方法に応じて、所定の音量調整処理やミュート処理を実行する処理である。
【０１９１】
この処理では、まず、耳領域ＹＢによる調整対象の現在の音量をＲＡＭ１３から読み出し、音量バーの形式でＬＣＤ１６の右画面１６Ｒ（図３（ａ）参照）に表示する（Ｓ６１）。これにより、ユーザは調整対象の送話音量または受話音量を知ることができるので、音量調整の目安とすることができる。
【０１９２】
次に、図９のＳ４４の処理でＲＡＭ１３に記憶された情報から、ミュート設定領域が耳領域ＹＢに割り当てられているか否かを判断する（Ｓ６２）。そして、ミュート設定領域が耳領域ＹＢに割り当てられていると判断される場合（Ｓ６２：Ｙｅｓ）、後述するミュート処理（図１１参照）を実行し（Ｓ６３）、Ｓ６４の処理へ移行する。これにより、ミュート設定領域における操作方法に対応した指の操作が行われている場合には、ミュートの設定または解除が行われる。
【０１９３】
一方、Ｓ６２の処理で、ミュート設定領域が耳領域ＹＢに割り当てられていないと判断される場合には、Ｓ６３の処理をスキップし、Ｓ６４の処理へ移行する。
【０１９４】
Ｓ６４の処理では、図９のＳ４２の処理でＲＡＭ１３に記憶された情報から、耳領域ＹＢに割り当てられた調整対象が送話音量であるか否かを判断する（Ｓ６４）。その結果、送話音量であると判断される場合には（Ｓ６４：Ｙｅｓ）、後述する送話音量調整処理（図１２（ａ）参照）を実行して（Ｓ６５）、この耳押下処理を終了する。これにより、送話音量調整領域における操作方法に対応した指の操作が行われている場合には、送話音量の調整が行われる。
【０１９５】
一方、Ｓ６４の処理の結果、耳領域ＹＢに割り当てられた調整対象が送話音量でない、即ち、受話音量であると判断される場合には（Ｓ６４：Ｎｏ）、後述する受話音量調整処理（図１２（ｂ）参照）を実行して（Ｓ６６）、この耳押下処理を終了する。これにより、受話音量調整領域における操作方法に対応した指の操作が行われている場合には、受話音量の調整が行われる。
【０１９６】
次いで、図１０（ｂ）を参照して、ＭＦＰ１のＣＰＵ１１で実行される口押下処理について説明する。図１０（ｂ）は、ＭＦＰ１の口押下処理を示すフローチャートである。この口押下処理は、上述したように、音量調整処理の中で実行される処理であり、音量調整画面に対して口領域ＭＢが指で触れられた場合に、その口領域ＭＢに対して割り当てられた音量調整用の領域および操作方法に応じて、所定の音量調整処理やミュート処理を実行する処理である。
【０１９７】
この処理では、まず、口領域ＭＢによる調整対象の現在の音量をＲＡＭ１３から読み出し、音量バーの形式でＬＣＤ１６の右画面１６Ｒ（図３（ａ）参照）に表示する（Ｓ７１）。これにより、ユーザは調整対象の送話音量または受話音量を知ることができるので、音量調整の目安とすることができる。
【０１９８】
次に、図９のＳ４４の処理でＲＡＭ１３に記憶された情報から、ミュート設定領域が口領域ＭＢに割り当てられているか否かを判断する（Ｓ７２）。そして、ミュート設定領域が口領域ＭＢに割り当てられていると判断される場合（Ｓ７２：Ｙｅｓ）、後述するミュート処理（図１１参照）を実行し（Ｓ７３）、Ｓ７４の処理へ移行する。これにより、ミュート設定領域における操作方法に対応した指の操作が行われている場合には、ミュートの設定または解除が行われる。
【０１９９】
一方、Ｓ７２の処理で、ミュート設定領域が口領域ＭＢに割り当てられていないと判断される場合には、Ｓ７３の処理をスキップし、Ｓ７４の処理へ移行する。
【０２００】
Ｓ７４の処理では、図９のＳ４３の処理でＲＡＭ１３に記憶された情報から、口領域ＭＢに割り当てられた調整対象が送話音量であるか否かを判断する（Ｓ７４）。その結果、送話音量であると判断される場合には（Ｓ７４：Ｙｅｓ）、後述する送話音量調整処理（図１２（ａ）参照）を実行して（Ｓ７５）、この口押下処理を終了する。これにより、送話音量調整領域における操作方法に対応した指の操作が行われている場合には、送話音量の調整が行われる。
【０２０１】
一方、Ｓ７４の処理の結果、口領域ＭＢに割り当てられた調整対象が送話音量でない、即ち、受話音量であると判断される場合には（Ｓ７４：Ｎｏ）、後述する受話音量調整処理（図１２（ｂ）参照）を実行して（Ｓ７６）、この耳押下処理を終了する。これにより、受話音量調整領域における操作方法に対応した指の操作が行われている場合には、受話音量の調整が行われる。
【０２０２】
次いで、図１１を参照して、ＭＦＰ１のＣＰＵ１１で実行されるミュート処理について説明する。図１１は、ＭＦＰ１のミュート処理を示すフローチャートである。このミュート処理は、上述したように、耳押下処理あるいは口押下処理の中で実行される処理であり、耳領域ＹＢまたは口領域ＭＢに対して割り当てられたミュート設定領域における操作方法に対応して指の操作が行われた場合に、ミュートの設定または解除を行う処理である。
【０２０３】
この処理では、まず、図９のＳ４４の処理によってＲＡＭ１３に記憶された情報から、ミュート設定領域における操作方法が、方法１であるか否かを判断する（Ｓ８１）。この方法１は、図３（ｂ）に示したように、ミュート設定領域に対して触れられた指が上から下に操作された場合に、ミュートの設定または解除を行うものである。
【０２０４】
そこで、Ｓ８１の処理で、操作方法が方法１であると判断される場合には（Ｓ８１：Ｙｅｓ）、ミュート設定領域に対して触れられた指が、上から下に操作されたか否かを、図３（ｂ）に示した判定条件に従って判断する（Ｓ８２）。そして、ミュート設定領域に対して触れられた指が、上から下に操作されていないと判断される場合（Ｓ８２：Ｎｏ）、このミュート処理を終了する。これにより、送話音声、受話音声ともに現在の状態が維持される。一方、ミュート設定領域に対して触れられた指が、上から下に操作されていると判断される場合には（Ｓ８２：Ｙｅｓ）、Ｓ８６の処理へ移行する。
【０２０５】
また、Ｓ８１の処理で、ミュート設定領域における操作方法が方法１でないと判断される場合（Ｓ８１：Ｎｏ）、次に、操作方法が方法２であるか否かを判断する（Ｓ８３）。この方法２は、図３（ｂ）に示したように、ミュート設定領域に対して触れられた指が左から右に操作された場合に、ミュートの設定または解除を行うものである。
【０２０６】
そこで、Ｓ８３の処理で、操作方法が方法２であると判断される場合には（Ｓ８３：Ｙｅｓ）、ミュート設定領域に対して触れられた指が、左から右に操作されたか否かを、図３（ｂ）に示した判定条件に従って判断する（Ｓ８４）。そして、ミュート設定領域に対して触れられた指が、左から右に操作されていないと判断される場合（Ｓ８４：Ｎｏ）、このミュート処理を終了する。したがって、送話音声、受話音声ともに現在の状態が維持される。一方、ミュート設定領域に対して触れられた指が、左から右に操作されていると判断される場合には（Ｓ８４：Ｙｅｓ）、Ｓ８６の処理へ移行する。
【０２０７】
一方、Ｓ８３の処理で、ミュート設定領域における操作方法が方法２でないと判断される場合（Ｓ８３：Ｎｏ）、ミュート設定領域における操作方法が方法３であると判断される。この方法３は、図３（ｂ）に示したように、ミュート設定領域に対して触れられた指によって１．５秒間長押しされた場合に、ミュートの設定または解除を行うものである。
【０２０８】
そこで、ミュート設定領域に対して触れられた指によって、１．５秒間長押しされたか否かを、図３（ｂ）に示した判定条件に従って判断する（Ｓ８５）。そして、ミュート設定領域に対して触れられた指によって、１．５秒間長押しされていないと判断される場合（Ｓ８５：Ｎｏ）、このミュート処理を終了する。したがって、送話音声、受話音声ともに現在の状態が維持される。一方、ミュート設定領域に対して触れられた指によって、１．５秒間長押しされたと判断される場合には（Ｓ８５：Ｙｅｓ）、Ｓ８６の処理へ移行する。
【０２０９】
Ｓ８６の処理では、現在、送話音声および受話音声がミュート状態であるか否かが判断される。そして、ミュート状態でないと判断される場合には（Ｓ８６：Ｎｏ）、ＬＣＤ１６にミュートするか否かを問い合わせる画面を表示する（Ｓ８７）。そして、その画面に対する操作によって、ミュートすると設定されたか否かを判断する（Ｓ８８）。そして、ミュートすると設定された場合には（Ｓ８８：Ｙｅｓ）、送話音声および受話音声をミュートに設定し、図９のＳ４４の処理でＲＡＭ１３に記憶された保留音を、ＲＡＭ１３に記憶された保留音量で出力して（Ｓ８９）、このミュート処理を終了する。
【０２１０】
一方、Ｓ８８の処理の結果、ミュートしないと設定された場合には（Ｓ８８：Ｎｏ）、Ｓ８９の処理をスキップして、このミュート処理を終了する。
【０２１１】
これに対し、Ｓ８６の処理の結果、現在、送話音声および受話音声がミュート状態であると判断される場合には（Ｓ８６：Ｙｅｓ）、ＬＣＤ１６にミュートを解除するか否かを問い合わせる画面を表示する（Ｓ９０）。そして、その画面に対する操作によって、ミュートを解除すると設定されたか否かを判断する（Ｓ９１）。そして、ミュートを解除すると設定された場合には（Ｓ９１：Ｙｅｓ）、ミュートを解除し、送話音声および受話音声を出力して（Ｓ９２）、このミュート処理を終了する。
【０２１２】
一方、Ｓ９１の処理の結果、ミュートを解除しないと設定された場合には（Ｓ９１：Ｎｏ）、Ｓ９２の処理をスキップして、このミュート処理を終了する。これにより、ミュートが継続して行われる。
【０２１３】
次いで、図１２（ａ）を参照して、ＭＦＰ１のＣＰＵ１１によって実行される送話音量調整処理について説明する。図１２（ａ）は、ＭＦＰ１の送話音量調整処理を示すフローチャートである。この送話音量調整処理では、上述したように、耳押下処理あるいは口押下処理の中で実行される処理であり、耳領域ＹＢまたは口領域ＭＢに対して割り当てられた送話音量調整領域における操作方法に対応して指の操作が行われた場合に、送話音量の調整を行うものである。
【０２１４】
この処理では、まず、図９のＳ４２またはＳ４３の処理によってＲＡＭ１３に記憶された情報から、送話音量設定領域における操作方法が、方法１であるか否かを判断する（Ｓ１０１）。この方法１は、図３（ｂ）に示したように、送話音量設定領域に対して触れられた指が左右方向に操作された場合に、送話音量の調整を行うものである。
【０２１５】
そこで、Ｓ１０１の処理の結果、操作方法が方法１であると判断される場合には（Ｓ１０１：Ｙｅｓ）、送話音量調整領域に対して触れられた指が、左から右に操作されたか否かを、図３（ｂ）に示した判定条件に従って判断する（Ｓ１０２）。そして、送話音量調整領域に対して触れられた指が、左から右に操作されたと判断される場合（Ｓ１０２：Ｙｅｓ）、送話音量を大きくして（Ｓ１０３）、この送話音量調整処理を終了する。この送話音量はＲＡＭ１３に記憶されると共に、ＬＣＤ１６に右画面１６Ｒに表示された音量バーにも反映される。なお、後述するＳ１０５，Ｓ１０７，Ｓ１０９の処理についても同様である。
【０２１６】
一方、Ｓ１０２の処理の結果、送話音量調整領域に対して触れられた指が、左から右に操作されていないと判断される場合（Ｓ１０２：Ｎｏ）、続いて、送話音量調整領域に対して触れられた指が、右から左に操作されたか否かを、図３（ｂ）に示した判定条件に従って判断する（Ｓ１０４）。そして、送話音量調整領域に対して触れられた指が、右から左に操作されたと判断される場合（Ｓ１０４：Ｙｅｓ）、送話音量を小さくして（Ｓ１０５）、この送話音量調整処理を終了する。
【０２１７】
一方、Ｓ１０４の処理の結果、送話音量調整領域に対して触れられた指が、右から左に操作されていないと判断される場合（Ｓ１０４：Ｎｏ）、送話音量調整領域に対して触れられた指が左右方向に操作されていないと判断できるので、送話音量を維持したままこの送話音量調整処理を終了する。
【０２１８】
これに対し、Ｓ１０１の処理の結果、操作方法が方法１でないと判断される場合には（Ｓ１０１：Ｎｏ）、操作方法が方法２であると判断できる。この方法２は、図３（ｂ）に示したように、送話音量設定領域に対して触れられた指が上下方向に操作された場合に、送話音量の調整を行うものである。
【０２１９】
そこで、送話音量調整領域に対して触れられた指が、下から上に操作されたか否かを、図３（ｂ）に示した判定条件に従って判断する（Ｓ１０６）。そして、送話音量調整領域に対して触れられた指が、下から上に操作されたと判断される場合（Ｓ１０６：Ｙｅｓ）、送話音量を大きくして（Ｓ１０７）、この送話音量調整処理を終了する。
【０２２０】
一方、Ｓ１０６の処理の結果、送話音量調整領域に対して触れられた指が、下から上に操作されていないと判断される場合（Ｓ１０６：Ｎｏ）、続いて、送話音量調整領域に対して触れられた指が、上から下に操作されたか否かを、図３（ｂ）に示した判定条件に従って判断する（Ｓ１０８）。そして、送話音量調整領域に対して触れられた指が、上から下に操作されたと判断される場合（Ｓ１０８：Ｙｅｓ）、送話音量を小さくして（Ｓ１０９）、この送話音量調整処理を終了する。一方、Ｓ１０８の処理の結果、送話音量調整領域に対して触れられた指が、上から下に操作されていないと判断される場合（Ｓ１０８：Ｎｏ）、送話音量調整領域に対して触れられた指が上下方向に操作されていないと判断できるので、送話音量を維持したままこの送話音量調整処理を終了する。
【０２２１】
次いで、図１２（ｂ）を参照して、ＭＦＰ１のＣＰＵ１１によって実行される受話音量調整処理について説明する。図１２（ｂ）は、ＭＦＰ１の受話音量調整処理を示すフローチャートである。この受話音量調整処理では、上述したように、耳押下処理あるいは口押下処理の中で実行される処理であり、耳領域ＹＢまたは口領域ＭＢに対して割り当てられた受話音量調整領域における操作方法に対応して指の操作が行われた場合に、受話音量の調整を行うものである。
【０２２２】
この処理では、まず、図９のＳ４２またはＳ４３の処理によってＲＡＭ１３に記憶された情報から、受話音量設定領域における操作方法が、方法１であるか否かを判断する（Ｓ１１１）。この方法１は、図３（ｂ）に示したように、受話音量設定領域に対して触れられた指が左右方向に操作された場合に、受話音量の調整を行うものである。
【０２２３】
そこで、Ｓ１１１の処理の結果、操作方法が方法１であると判断される場合には（Ｓ１１１：Ｙｅｓ）、受話音量調整領域に対して触れられた指が、左から右に操作されたか否かを、図３（ｂ）に示した判定条件に従って判断する（Ｓ１１２）。そして、受話音量調整領域に対して触れられた指が、左から右に操作されたと判断される場合（Ｓ１１２：Ｙｅｓ）、受話音量を大きくして（Ｓ１１３）、この受話音量調整処理を終了する。この受話音量はＲＡＭ１３に記憶されると共に、ＬＣＤ１６に右画面１６Ｒに表示された音量バーにも反映される。なお、後述するＳ１１５，Ｓ１１７，Ｓ１１９の処理についても同様である。
【０２２４】
一方、Ｓ１１２の処理の結果、受話音量調整領域に対して触れられた指が、左から右に操作されていないと判断される場合（Ｓ１１２：Ｎｏ）、続いて、受話音量調整領域に対して触れられた指が、右から左に操作されたか否かを、図３（ｂ）に示した判定条件に従って判断する（Ｓ１１４）。そして、受話音量調整領域に対して触れられた指が、右から左に操作されたと判断される場合（Ｓ１１４：Ｙｅｓ）、受話音量を小さくして（Ｓ１１５）、この受話音量調整処理を終了する。一方、Ｓ１１４の処理の結果、受話音量調整領域に対して触れられた指が、右から左に操作されていないと判断される場合（Ｓ１１４：Ｎｏ）、受話音量調整領域に対して触れられた指が左右方向に操作されていないと判断できるので、受話音量を維持したままこの受話音量調整処理を終了する。
【０２２５】
これに対し、Ｓ１１１の処理の結果、操作方法が方法１でないと判断される場合には（Ｓ１１１：Ｎｏ）、操作方法が方法２であると判断できる。この方法２は、図３（ｂ）に示したように、受話音量設定領域に対して触れられた指が上下方向に操作された場合に、受話音量の調整を行うものである。
【０２２６】
そこで、受話音量調整領域に対して触れられた指が、下から上に操作されたか否かを、図３（ｂ）に示した判定条件に従って判断する（Ｓ１１６）。そして、受話音量調整領域に対して触れられた指が、下から上に操作されたと判断される場合（Ｓ１１６：Ｙｅｓ）、受話音量を大きくして（Ｓ１１７）、この受話音量調整処理を終了する。
【０２２７】
一方、Ｓ１１６の処理の結果、受話音量調整領域に対して触れられた指が、下から上に操作されていないと判断される場合（Ｓ１１６：Ｎｏ）、続いて、受話音量調整領域に対して触れられた指が、上から下に操作されたか否かを、図３（ｂ）に示した判定条件に従って判断する（Ｓ１１８）。そして、受話音量調整領域に対して触れられた指が、上から下に操作されたと判断される場合（Ｓ１１８：Ｙｅｓ）、受話音量を小さくして（Ｓ１１９）、この受話音量調整処理を終了する。一方、Ｓ１１８の処理の結果、受話音量調整領域に対して触れられた指が、上から下に操作されていないと判断される場合（Ｓ１１８：Ｎｏ）、受話音量調整領域に対して触れられた指が上下方向に操作されていないと判断できるので、受話音量を維持したままこの受話音量調整処理を終了する。
【０２２８】
以上、本実施形態によれば、ＭＦＰ１の電話機能によって外部装置２００との間で通話が行われる場合に、ＬＣＤ１６には、音量調整画面が表示される。この音量調整画面に、通話相手の顔画像が表示される場合、この顔画像の耳領域ＹＢに対して送話音量調整領域が割り当てられ、口領域ＭＢに対して受話音量調整領域が割り当てられる。ユーザは、耳領域ＹＢを予め設定した操作方法に従って指を触れると、送話音量が調整される。また、口領域ＭＢを予め設定した操作方法に従って指を触れると、受話音量が調整される。ユーザにとって、「通話相手の口から発せられる音」から「受話音声」が容易に結び付けられ、「通話相手の耳に入る音」から「送話音声」が容易に結び付けられるので、ユーザは、通話相手の顔の画像を用いて、直観的に通話における受話音声および送話音声の音量を調整することができる。
【０２２９】
また、この音量調整画面に、ユーザ本人の顔画像が表示される場合、この顔画像の耳領域ＹＢに対して受話音量調整領域が割り当てられ、口領域ＭＢに対して送話音量調整領域が割り当てられる。ユーザは、耳領域ＹＢを予め設定した操作方法に従って指を触れると、受話音量が調整される。また、口領域ＭＢを予め設定した操作方法に従って指を触れると、送話音量が調整される。ユーザにとって、「通話者本人の口から発せられる音」から「送話音声」が容易に結び付けられ、「通話者本人の耳に入る音」から「受話音声」が容易に結び付けられるので、ユーザは、ユーザ本人の顔の画像を用いても、直観的に通話における受話音声および送話音声の音量を調整することができる。
【０２３０】
このように、本実施形態では、所定の画像の内容に従って、所定の領域に音量調整を行う領域を割り当て、その領域を指定することによって音量調整が行うので、ユーザはその画面を用いて直観的に音量調整を行うことができる。
【０２３１】
また、音量調整の操作方法も、所定の領域に触れる指を左右方向、または、上下方向に動かすというものであるので、ユーザは直観的な操作でもって音量調整を行うことができる。
【０２３２】
次いで、図１３および図１４を参照して、第２実施形態について説明する。上記第１実施形態では、ＭＦＰ１のユーザが電話機能により外部装置２００との間で通話を行う場合に、音量調整画面としてその通話相手に応じて顔画像をＬＣＤ１６に表示し、その顔画像によって、ユーザが送話音量および受話音量を直観的に調整する場合について説明した。これに対し、第２実施形態では、顔画像だけではなく、通話相手に応じて送受話器の画像（送受話器画像）を音量調整画面としてＬＣＤ１６に表示し、その送受話器画像によって、ユーザが送話音量および受話音量を直観的に調整できるようにＭＦＰ１が構成されている。
【０２３３】
なお、第２実施形態におけるＭＦＰ１の外観構成と電気的構成とは、第１実施形態におけるＭＦＰ１と同一のものであるとして説明を行う。また、第１実施形態と同一の部分には同一の符号を付して、その説明を省略する。
【０２３４】
図１３は、送受話器画像は、第２実施形態における音量調整画面の一例を示すイメージ図である。ユーザがＭＦＰ１の電話機能によって外部装置２００に対応する通話相手と通話を行う場合に、その通話相手に対応する電話帳メモリ１２ｃに格納されたファイル名が、この送受話器画像の画像データ（送受話器画像データ）が格納されたファイルであると、ＭＦＰ１は、画像メモリ１２ｂからそのファイルに格納された送受話器画像データを読み出すことによって、図１３に示すように、左画面１６Ｌに送受話器画像を表示する。
【０２３５】
尚、送受話器画像の画像データ（送受話器画像データ）は、予め用意された顔画像データと共に、ＭＦＰ１の出荷時に画像メモリ１２ｂに格納される。このとき、この送受話器画像データには、この画像データが送受話器画像データであることを示す情報と、その送受話器画像データにおける「送話口」の領域ＳＢ（左上の座標（Ｘａ，Ｙａ）および右下の座標（Ｘｂ，Ｙｂ）で特定される矩形状の領域）および「受話口」の領域ＭＢ（左上の座標（Ｘｃ，Ｙｃ）および右下の座標（Ｘｄ，Ｙｄ）で特定される矩形状の領域）の座標も併せて格納されている。
【０２３６】
左画面１６Ｌに表示された送受話器画像の「送話口」の領域ＳＢには、送話音量調整領域が割り当てられ、「受話口」の領域ＺＢには受話音量調整領域が割り当てられている。また、「送話口」の領域ＳＢおよび「受話口」の領域ＺＢのいずれかが、ミュート設定領域も兼ねるように割り当てられている。
【０２３７】
ユーザが、ＬＣＤ１６の左画面１６Ｌに表示された送受話器画像の「送話口」の領域ＳＢを指で触れると、ＭＦＰ１は、タッチパネル１７の検出結果から、触れられた領域が「送話口」の領域ＳＢであることを判断する。ここで、「送話口」の領域ＳＢには送話音量調整領域が割り当てられているので、ＭＦＰ１はＬＣＤ１６の右画面１６Ｒに、現時点の送話音量を示すバーを表示する。
【０２３８】
そして、ユーザが、「送話口」の領域ＳＢに触れた指を動かす操作を行うと、その操作内容（タッチパネル１７によって検出される指の位置の変位）に応じて、「送話口」の領域ＳＢに割り当てられた送話音量の調整を行う。また、「送話口」の領域ＳＢがミュート設定領域を兼ねている場合には、指の操作内容に応じて、ミュートの設定または解除を行う。
【０２３９】
一方、ユーザがＬＣＤ１６の左画面１６Ｌに表示された送受話器画像の「受話口」の領域ＺＢを指で触れると、タッチパネル１６により検出された座標から、ＭＦＰ１は触れられた領域が「受話口」の領域ＺＢであることを判断する。ここで、「受話口」の領域ＺＢには受話音量調整領域が割り当てられているので、ＭＦＰ１はＬＣＤ１６の右画面１６Ｒに現時点の受話音量を示すバーを表示する。
【０２４０】
更に、ユーザが、「受話口」の領域ＺＢに触れた指を動かす操作を行うと、その操作内容に応じて、「受話口」の領域ＺＢに割り当てられた受話音量の調整を行う。また、「受話口」の領域ＺＢがミュート設定領域を兼ねている場合には、指の操作内容に応じて、ミュートの設定または解除を行う。
【０２４１】
尚、送話音量の調整するための指の操作方法、受話音量の調整するための指の操作方法、および、ミュートの設定または解除をするための指の操作方法については、第１実施形態（図３（ｂ）参照）と同一である。
【０２４２】
また、ある通話相手に対して、音量調整画面に表示する画像に送受話器画像を登録する場合、即ち、図７に示した登録処理において、選択した画像データが予め用意された画像データで且つその画像データが送受話器画像データである場合には、その登録処理（図７参照）のＳ５〜Ｓ１０と同様の処理（但し、「耳」を「送話口」に読み替え、「口」を「受話口」に読み替えた処理）を行うことによって、送受話器画像が登録される。
【０２４３】
このとき、その通話相手に対応する電話帳メモリ１２ｂ（図４参照）の「画像種類」には、「送受話器」が格納される。また、電話帳メモリ１２ｂの「耳」に対する各項目（「調整対象」、「領域の座標」、「操作方法」、「現在の音量」）は、「送話口」に対する各項目が格納され、「口」に対する各項目は「受話口」の各項目が格納される。
【０２４４】
次に、図１４を参照して、第２実施形態におけるＭＦＰ１のＣＰＵ１１で実行される第２音量調整処理について説明する。図１４は、第２実施形態におけるＭＦＰ１の第２音量調整処理を示すフローチャートである。この第２音量調整処理は、ユーザが電話機能による外部装置２００との通話を行う場合に、ＬＣＤ１６に音量調整画面として送受話器画像を表示し、その画面に対する指の操作内容に応じて、受話音量および送話音量の調整を行う処理である。この処理は、操作キー１５の操作によって、ユーザから電話機能による外部装置２００との通話開始の指示があった場合に、その外部装置２００に対応する通話相手に対して、電話帳メモリ１２ｃに格納された「画像種類」（図４参照）が「送受話器」であると開始される。
【０２４５】
この処理では、まず、通話を行う外部装置２００に対応する通話相手に対して、電話帳メモリ１２ｃに格納された「画像ファイル名」（図４参照）を読み出し、そして、その画像ファイル名で示される画像ファイルを画像メモリ１２ｂから読み出して、その画像ファイルの送受話器画像データに従って送受話器画像を表示する（Ｓ１２１）。
【０２４６】
次いで、通話を行う外部装置２００に対応する通話相手に対して、電話帳メモリ１２ｃに格納された「送話口」に対応する「領域の座標」、「操作方法」、「現在の音量」を読み出し、それぞれＲＡＭ１３に記憶する（Ｓ１２２）。これにより、音量調整画面の送受話器画像に対して、「領域の座標」で定まる「送話口」の領域ＳＢに送話音量調整領域が割り当てられる。また、「操作方法」によって、その「送話口」の領域ＳＢによって音量調整が行う場合に指によって操作されるべき操作内容が決まり、「現在の音量」によって、現時点での送話音量が定まる。
【０２４７】
また、通話を行う外部装置２００に対応する通話相手に対して、電話帳メモリ１２ｃに格納された「受話口」に対応する「領域の座標」、「操作方法」、「現在の音量」を読み出し、それぞれＲＡＭ１３に記憶する（Ｓ１２３）。これにより、音量調整画面の送受話器画像に対して、「領域の座標」で定まる「受話口」の領域ＺＢに受話音量調整領域が割り当てられる。また、「操作方法」によって、その「受話口」の領域ＺＢによって音量調整が行う場合に指によって操作されるべき操作内容が決まり、「現在の音量」によって、現時点での受話音量が定まる。
【０２４８】
更に、通話を行う外部装置２００に対応する通話相手に対して、電話帳メモリ１２ｃに格納された「ミュート」の「領域」、「操作方法」、「保留音」、「保留音量」を読み出し、それぞれＲＡＭ１３に記憶する（Ｓ１２４）。これにより、音量調整画面の送受話器画像に対して、「領域」で定まる「送話口」の領域ＳＢまたは「受話口」の領域ＺＢに、ミュート設定領域が割り当てられる。また、「操作方法」によって、そのミュート設定領域によってミュートの設定または解除を行う場合に、指によって操作されるべき操作内容が決まり、「保留音」および「保留音量」によって、ミュート設定時に出力される保留音とその音量が定まる。
【０２４９】
Ｓ１２４の処理の後、タッチパネル１７が指で触れられたか否かを判断する（Ｓ１２５）。そして、タッチパネル１７が指で触れられたと判断される場合には（Ｓ１２５：Ｙｅｓ）、その指で触れられた領域がＳ１２２の処理で割り当てられた「送話口」の領域ＳＢであるか否かを判断する（Ｓ１２６）。その結果、「送話口」の領域ＳＢであると判断される場合には（Ｓ１２６：Ｙｅｓ）、「送話口」の領域ＳＢによる調整対象（送話音量）の現在の音量をＲＡＭ１３から読み出し、音量バーの形式でＬＣＤ１６の右画面１６Ｒに表示する（Ｓ１２７）。これにより、ユーザは調整対象の送話音量を知ることができるので、音量調整の目安とすることができる。
【０２５０】
次に、Ｓ１２４の処理でＲＡＭ１３に記憶された情報から、ミュート設定領域が「送話口」の領域ＳＢに割り当てられているか否かを判断する（Ｓ１２８）。そして、ミュート設定領域が「送話口」の領域ＳＢに割り当てられていると判断される場合（Ｓ１２８：Ｙｅｓ）、ミュート処理（図１１参照）を実行し（Ｓ１２９）、Ｓ１３０の処理へ移行する。これにより、ミュート設定領域における操作方法に対応した指の操作が行われている場合には、ミュートの設定または解除が行われる。
【０２５１】
一方、Ｓ１２８の処理で、ミュート設定領域が「送話口」の領域ＳＢに割り当てられていないと判断される場合には、Ｓ１２９の処理をスキップし、Ｓ１３０の処理へ移行する。
【０２５２】
Ｓ１３０の処理では、送話音量調整処理（図１２（ａ）参照）を実行する。これにより、送話音量調整領域における操作方法に対応した指の操作が行われている場合には、送話音量の調整が行われる。この処理の後、Ｓ１３１の処理へ移行する。
【０２５３】
一方、Ｓ１２６の処理の結果、Ｓ１２５の処理において指で触れられた領域が「送話口」の領域ＳＢでないと判断される場合（Ｓ１２６：Ｎｏ）には、Ｓ１３１の処理へ移行する。
【０２５４】
Ｓ１３１の処理では、Ｓ１２５の処理において指で触れられた領域が、Ｓ１２３の処理で割り当てられた「受話口」の領域ＺＢであるか否かを判断する。その結果、「受話口」の領域ＺＢであると判断される場合には（Ｓ１３１：Ｙｅｓ）、「受話口」の領域ＺＢによる調整対象（受話音量）の現在の音量をＲＡＭ１３から読み出し、音量バーの形式でＬＣＤ１６の右画面１６Ｒに表示する（Ｓ１３２）。これにより、ユーザは調整対象の受話音量を知ることができるので、音量調整の目安とすることができる。
【０２５５】
次に、Ｓ１２４の処理でＲＡＭ１３に記憶された情報から、ミュート設定領域が「受話口」の領域ＺＢに割り当てられているか否かを判断する（Ｓ１３３）。そして、ミュート設定領域が「受話口」の領域ＺＢに割り当てられていると判断される場合（Ｓ１３３：Ｙｅｓ）、ミュート処理（図１１参照）を実行し（Ｓ１３４）、Ｓ１３５の処理へ移行する。これにより、ミュート設定領域における操作方法に対応した指の操作が行われている場合には、ミュートの設定または解除が行われる。
【０２５６】
一方、Ｓ１３３の処理で、ミュート設定領域が「受話口」の領域ＺＢに割り当てられていないと判断される場合には、Ｓ１３４の処理をスキップし、Ｓ１３５の処理へ移行する。
【０２５７】
Ｓ１３５の処理では、受話音量調整処理（図１２（ｂ）参照）を実行する。これにより、受話音量調整領域における操作方法に対応した指の操作が行われている場合には、受話音量の調整が行われる。この処理の後、Ｓ１３７の処理へ移行する。
【０２５８】
一方、Ｓ１３１の処理の結果、Ｓ１２５の処理において指で触れられた領域が「受話口」の領域ＺＢでないと判断される場合（Ｓ１３１：Ｎｏ）には、Ｓ１３７の処理へ移行する。
【０２５９】
また、Ｓ１２５の処理の結果、タッチパネル１７が指で触れられていないと判断される場合には（Ｓ１２５：Ｎｏ）、Ｓ１３７の処理へ移行する。
【０２６０】
Ｓ１３７の処理では、送受話器２２がオフフック状態となり、通話が終了したか否かを判断する。そして、送受話器２２がオンフック状態で、通話が終了していないと判断される場合には（Ｓ１３７：Ｎｏ）、Ｓ１２５の処理へ回帰し、Ｓ１２５〜Ｓ１３７の処理が再び実行される。
【０２６１】
一方、Ｓ１３７の処理の結果、通話が終了したと判断される場合には（Ｓ１３７：Ｙｅｓ）、「送話口」の領域ＳＢおよび「受話口」の領域ＺＢによって調整された送話音量および受話音量それぞれの現時点での音量を、それぞれ、通話を行った外部装置２００に対応する通話相手の電話帳メモリ１２ｃにおける「送話口」の「現在の音量」と「受話口」の「現在の音量」とに格納し（Ｓ１３８）、第２音量調整処理を終了する。これにより、次回その通話相手と通話した場合に、送話音量および受話音量が、それぞれ今回の通話終了時の音量に設定される。
【０２６２】
以上、本実施形態によれば、ＭＦＰ１の電話機能によって外部装置２００との間で通話が行われる場合に、ＬＣＤ１６には、音量調整画面が表示される。この音量調整画面に、送受話器画像が表示される場合、この送受話器画像の送話口ＳＢに対して送話音量調整領域が割り当てられ、受話口ＺＢに対して受話音量調整領域が割り当てられる。ユーザは、送話口を予め設定した操作方法に従って指を触れると、送話音量が調整される。また、受話口ＺＢを予め設定した操作方法に従って指を触れると、受話音量が調整される。ユーザにとって、「受話口」から「受話音声」が容易に結び付けられ、「送話口」から「送話音声」が容易に結び付けられるので、ユーザは、送受話器を用いて、直観的に通話における受話音声および送話音声の音量を調整することができる。
【０２６３】
その他、上記第１実施形態と同様の効果を奏することができる。
【０２６４】
次いで、図１５を参照して、第３実施形態について説明する。上記各実施形態では、ＭＦＰ１の電話機能による通話の送話音量および受話音量の調整を行う場合について説明した。これに対し、第３実施形態では、ＰＣ４００が、ＭＦＰ３００および電話回線網１００を介して、外部装置２００との通話を行う場合に、その通話相手に応じて音量調整画面をＰＣ４００に接続されるＬＣＤ４１６に表示することによって、通話の送話音量および受話音量を直観的に調整できるように構成されている。尚、上記各実施の形態と同一の部分には同一の符号を付して、その説明を省略する。
【０２６５】
図１５は、第３実施形態における音量調整システムＴの電気的構成を示したブロック図である。この音量調整システムＴは、ＭＦＰ３００とＰＣ４００とによって構成されている。
【０２６６】
この第３実施形態におけるＭＦＰ３００において、第１実施形態におけるＭＦＰ１と相違する点は、ＥＥＰＲＯＭ３１２がＥＥＰＲＯＭ１２に代えて設けられている点、及び、インターフェイス３３１が設けられている点である。
【０２６７】
ＥＥＰＲＯＭ３１２は、ＣＰＵ１１によって実行される制御プログラム３１２ａや固定値データ等を書き換え可能に記憶すると共に、電源遮断後も内容を保持可能な不揮発性のメモリである。制御プログラム３１２ａには、インターフェイス３３１、入出力ポート２７、ＮＣＵ２３を介して、ＰＣ４００と電話回線網１００に接続された外部装置２００とを接続し、ＰＣ４００と外部装置との間の通話を制御するプログラムが格納されている。ＰＣ４００から、ＭＰＦ３００に対して外部装置２００への通話開始指示がなされると、ＣＰＵ１１はこのプログラムを実行する。これにより、ＰＣ４００と外部装置と間で通話が行われる。
【０２６８】
インターフェイス３３１は、ＭＦＰ３００にＰＣ４００を接続し、ＰＣ４００との間で各種データの送受信を行うものである。インターフェイス３３１は、入出力ポート２７を介して、ＭＦＰ１に設けられた各部と接続される。
【０２６９】
一方、ＰＣ４００は、ＣＰＵ４１１、ＲＯＭ（Ｒｅａｄ  Ｏｎｌｙ  Ｍｅｍｏｒｙ）４１２、ＲＡＭ４１３、ハードディスク４１４、計時回路４１５、インターフェイス４２０を主に有しており、ＣＰＵ４１１、ＲＯＭ４１２、ＲＡＭ４１３は、バスライン４２１を介して互いに接続されている。また、ハードディスク４１４、計時回路４１５、インテーフェイス４２０、バスライン４２１は、入出力ポート４２２を介して互いに接続されている。
【０２７０】
更に、入出力ポート４２２には、ＬＣＤ４１６、タッチペン４１７、マイク４１８、スピーカ４１９が接続され、これらとＰＣ４００の各部との間でデータの送受信が行われる。
【０２７１】
ＣＰＵ４１１は、ＲＯＭ４１２やハードディスク４１４に記憶されているプログラム、あるいは入出力ポートに接続された各部からの制御信号に従って、ＰＣ４００の動作を制御する演算装置である。
【０２７２】
ＲＯＭ４１２は、書換え不可能な不揮発性のメモリであり、ＣＰＵ４１１により実行される各種の制御プログラムや、その他、固定値データが記憶されている。ＲＡＭ４１３は、書換え可能な揮発性のメモリであり、ＰＣ４００の各操作の実行時に各種のデータを一時的に記憶するためのメモリである。
【０２７３】
ハードディスク４１４は、書換え可能な不揮発性のメモリであり、ＣＰＵ４１１によって実行される制御プログラム４１４ａ、画像メモリ４１４ｂ、電話帳メモリ４１４ｃを有する。
【０２７４】
制御プログラム４１４ａは、ＭＦＰ３００を介して、電話回線網１００に接続された外部装置２００と通話を行う通話処理プログラムを含んでいる。ＣＰＵ４１１がユーザからの指示に基づいて通話処理プログラムを立ち上げると、ＣＰＵ４１１はＭＦＰ３００に対して、通話開始指示を行う。これにより、ＰＣ４００と外部装置２００との間で通話が開始される。
【０２７５】
また、制御プログラム４１４ａには、上述した図７〜図１２に図示されたフローチャートと同一のプログラムを含んでおり、更に、画像メモリ４１４ｂおよび電話帳メモリ４１４ｃは、それぞれ上記各実施形態のＭＦＰ１のＥＥＰＲＯＭ１２に格納された画像メモリ１２ｂおよび電話帳メモリ１２ｃと同一のものである。
【０２７６】
よって、ＣＰＵ４１１が図７に図示されたフローチャートのプログラムを実行することにより、音量調整画面に表示される画像や、その画面における送話音量調整領域、受話音量調整領域、ミュート設定領域などの登録を行うことができる。また、ＣＰＵ４１１が、通話処理プログラムと共に、図８〜図１２に図示されたフローチャートのプログラムを実行することにより、ＰＣ４００と外部装置２００との通話時に、ＬＣＤ４１６には図３（ａ）や図１３に示した音量調整画面がＬＣＤ４１６に表示される。よって、ＰＣ４００において、スピーカ４１９から出力される受話音声の音量や、外部装置２００に対して出力される送話音声の音量を、直観的に調整できる。
【０２７７】
計時回路４１５は、現在の日時を刻む時計機能を有する既知の回路である。また、インターフェイス４２０は、ＰＣ４００にＭＦＰ３００を接続し、ＭＦＰ３００との間で各種データの送受信を行うものである。
【０２７８】
ＬＣＤ４１６は、ＬＣＤパネル（図示せず）を備え、そのＬＣＤパネルに、タッチペン４１７の操作に応じてメニューや動作状態などを表示するための表示デバイスである。ＰＣ４００が外部装置２００と通話を行う場合に表示される音量調整画面は、このＬＣＤ４１６によって表示される。
【０２７９】
タッチペン４１７は、ＬＣＤ４１６のＬＣＤパネルに触れると、そのＬＣＤパネル上の座標を検出してＰＣ４００に伝達する入力装置である。ＣＰＵ４１１は、タッチパネル４１７によって検出された座標によって、例えば、ＬＣＤ４１６に表示された音量調整画面の送話音量調整領域、受話音量調整領域、ミュート設定領域に対して行われた操作内容を判断する。そして、これらの領域に対して各領域の操作方法に対応する操作が行われた場合、それぞれの音量調整やミュートの設定または解除を行う。
【０２８０】
マイク４１８は、ユーザの音声を音声データに変換する入力装置である。マイク４１８により変換された音声データは、送話音声として外部装置２００に向けて出力される。そして、この外部装置２００に向けて出力される送話音声の音量が、音量調整画面によって直観的に調整される。
【０２８１】
スピーカ４１９は、外部装置２００から送信されてきた音声データを受話音声として、外部に出力する出力装置である。この外部に向けて出力される受話音声の音量が、音量調整画面によって直観的に調整される。
【０２８２】
以上、本実施形態によれば、第１実施形態と同様に、所定の画像の内容に従って、所定の領域に音量調整を行う領域を割り当て、その領域を指定することによって音量調整が行うので、ユーザはその画面を用いて直観的に音量調整を行うことができる。
【０２８３】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【０２８４】
例えば、上記各実施形態では、外部装置２００と通話を行う場合の送話音量および受話音量を、音量調整画面を用いて設定する場合について説明したが、必ずしもこれに限られるものではなく、種々の音声の音量に対して、本発明の音量調整画面を用いて設定するようにしてもよい。例えば、オーディオのスピーカから出力される音声の音量調整を、タッチパネル付きＬＣＤを備えたリモートコントローラから行う場合、リモートコントローラにスライドボリュームを含む画像を表示しておき、そのスライドボリュームを指で触れることで、音量調整するようにしてもよい。このように、音量調整画面に表示する画像は、音量調整したいものがイメージできる画像であれば、ユーザはより直観的な操作を行うことができる。
【０２８５】
上記各実施形態では、送話音量調整領域または受話音量調整領域を指で触れると、それぞれに領域によって音量調整される送話音量または受話音量の現在の音量を、音量バーの形式で表示すると共に、送話音量または受話音量が指の操作によって調整されると、その調整後の音量を音量バーに表示する場合について説明したが、必ずしもこれに限られるものではない。例えば、図１６（ａ）に示すように、音量調整画面に表示される耳の大きさと音量とを関連付け、耳領域ＹＢが指で操作されて送話音量または受話音量が調整されると、調整後の音量の大きさに応じて音量調整画面に表示される耳の大きさを変化させるように表示してもよい。また、同様に、口の大きさと音量とを関連付けて表示してもよい。また、音量調整画面に対する指の操作によって、ミュートが設定された場合、図１６（ｂ）に示すように、口領域ＭＢにファスナーといったイメージ画像を表示するようにしてもよい。ユーザは、このような音量調整画面により、直観的に指の操作による音量の変化やミュート設定の状態などを把握することができる。
【０２８６】
上記第１および第２実施形態では、タッチパネル１７を指で触れることによって、送話音声調整領域や受話音声領域を操作する場合について説明したが、必ずしもこれに限られるものではなく、指示物を用いてタッチパネル１７を触れることによって、各領域を操作してもよいし、タッチパネルに指示物などを近づけることで操作を行うようにしてもよい。
【図面の簡単な説明】
【０２８７】
【図１】本発明の第１実施形態におけるＭＦＰの外観構成を示す斜視図である。
【図２】ＭＦＰ１の電気的構成を示すブロック図である。
【図３】（ａ）は、音量調整画面の一例を示すイメージ図であり、（ｂ）は、送話音量調整、受話音量調整、ミュート設定または解除を行うための指の操作方法を説明する説明図である。
【図４】電話帳メモリの内容の一例を模式的に示す模式図である。
【図５】登録画面の一例を示すイメージ図である。
【図６】登録画面の一例を示すイメージ図である。
【図７】登録処理を示すフローチャートである。
【図８】登録処理を示すフローチャートである。
【図９】音量調整処理を示すフローチャートである。
【図１０】（ａ）は、耳押下処理を示すフローチャートであり、（ｂ）は、口押下処理を示すフローチャートである。
【図１１】ミュート処理を示すフローチャートである。
【図１２】（ａ）は、送話音量調整処理を示すフローチャートであり、（ｂ）は受話音量調整処理を示すフローチャートである。
【図１３】第２実施形態におけるＭＦＰの音量調整画面の一例を示すイメージ図である。
【図１４】音量調整処理を示すフローチャートである。
【図１５】第３実施形態における音量調整システムの電気的構成を示すブロック図である。
【図１６】音量調整画面の変形例を示すイメージ図である。
【符号の説明】
【０２８８】
Ｔ                    音量調整システム
１                    ＭＦＰ１（音量調整装置の一例、通話装置の一例）
１２ｃ                電話帳メモリ（記憶手段の一例）
１６，４１６          ＬＣＤ（表示手段の一例、表示パネルの一例）
１７，４１７          タッチパネル（指定位置検出手段の一例）
２２                  送受話器（音声出力手段の一例）
２３                  ＮＣＵ（通話手段の一例）
２００                外部装置
４１８                マイク（音声出力手段の一例）
４１９                スピーカ（音声出力手段の一例）
Ｓ６，Ｓ９            （領域設定手段の一例）
Ｓ１２，Ｓ１５        （領域設定手段の一例）
Ｓ２０，Ｓ２４        （領域設定手段の一例）
Ｓ２８，Ｓ３２        （領域設定手段の一例）
Ｓ７，Ｓ１０          （変位設定手段の一例）
Ｓ１３，Ｓ１６        （変位設定手段の一例）
Ｓ２２，Ｓ２６        （変位設定手段の一例）
Ｓ３０，Ｓ３４        （変位設定手段の一例）
Ｓ４１，Ｓ１２１      （表示制御手段の一例，表示制御ステップの一例）
Ｓ４２，Ｓ４３        （領域割当手段の一例，領域割当ステップの一例）
Ｓ１２２，Ｓ１２３    （領域割当手段の一例，領域割当ステップの一例）
Ｓ６１，Ｓ７１        （音量表示制御手段の一例）
Ｓ１２７，Ｓ１３２    （音量表示制御手段の一例）
Ｓ１０２，Ｓ１０４    （変位検出手段の一例）
Ｓ１０６，Ｓ１０８    （変位検出手段の一例）
Ｓ１１２，Ｓ１１４    （変位検出手段の一例）
Ｓ１１６，Ｓ１１８    （変位検出手段の一例）
Ｓ１０３，Ｓ１０５    （音量調整手段の一例，音量調整ステップの一例）
Ｓ１０７，Ｓ１０９    （音量調整手段の一例，音量調整ステップの一例）
Ｓ１１３，Ｓ１１５    （音量調整手段の一例，音量調整ステップの一例）
Ｓ１１７，Ｓ１１９    （音量調整手段の一例，音量調整ステップの一例）
【図１】
2009147763.tif 000003
【図２】
2009147763.tif 000004
【図３】
2009147763.tif 000005
【図４】
2009147763.tif 000006
【図５】
2009147763.tif 000007
【図６】
2009147763.tif 000008
【図７】
2009147763.tif 000009
【図８】
2009147763.tif 000010
【図９】
2009147763.tif 000011
【図１０】
2009147763.tif 000012
【図１１】
2009147763.tif 000013
【図１２】
2009147763.tif 000014
【図１３】
2009147763.tif 000015
【図１４】
2009147763.tif 000016
【図１５】
2009147763.tif 000017
【図１６】
2009147763.tif 000018